(57)【要約】【課題】本発明は、デジタル放送システムで高品質の色感表現のための超高画質放送信号を送受信する方法及び装置に関する。【解決手段】本発明の一実施例に係る超高画質放送信号受信装置は、超高画質放送コンテンツ、及び超高画質放送コンテンツに適したディスプレイ環境情報を示すディスプレイ情報メタデータを含む超高画質放送信号を受信する受信部と、受信された超高画質放送コンテンツ及びディスプレイ情報メタデータをデコードするデコーダーと、ディスプレイ情報メタデータを用いて前記超高画質放送コンテンツに適したディスプレイ環境に受信装置のディスプレイ環境を調整する制御部と、超高画質放送コンテンツを再生する再生部とを含む。【選択図】図１
2016530780.tif 000002
【特許請求の範囲】
【請求項１】
超高画質放送信号受信装置において、
超高画質放送コンテンツ、及び前記超高画質放送コンテンツに適したディスプレイ環境情報を示すディスプレイ情報メタデータを含む超高画質放送信号を受信する受信部と、
前記受信された超高画質放送コンテンツ及びディスプレイ情報メタデータをデコードするデコーダーと、
前記ディスプレイ情報メタデータを用いて前記超高画質放送コンテンツに適したディスプレイ環境で前記受信装置のディスプレイ環境を調整する制御部と、
前記超高画質放送コンテンツを再生する再生部を含む、超高画質放送信号受信装置。
【請求項２】
前記ディスプレイ情報メタデータは、前記超高画質放送コンテンツを最適なディスプレイ環境で再生するために必要な勧奨ディスプレイ明るさ範囲のうち最小明るさを示す最小基準明るさ情報、超高画質放送コンテンツを最適なディスプレイ環境で再生するために必要な勧奨ディスプレイ明るさ範囲のうち最大明るさを示す最大基準明るさ情報、及び受信装置の再生部に示される明るさを計算するＥＯＴＦ（Ｅｌｅｃｔｒｏ  Ｏｐｔｉｃａｌ  Ｔｒａｎｓｆｅｒ  Ｆｕｎｃｔｉｏｎ）関数に使用されるガンマ指数を示すＥＯＴＦガンマ指数情報のうち少なくともいずれか一つを含む、請求項１に記載の超高画質放送信号受信装置。
【請求項３】
前記ディスプレイ情報メタデータは、既に設定された色温度による無彩色の色空間上の位置関連情報を示す基準無彩色の色空間情報、任意の色温度指定の有無を示す色温度指定フラグ情報、及び任意の色温度を指定する場合、任意の色温度による無彩色の色空間上の位置関連情報を示す任意の無彩色の色空間情報のうち少なくともいずれか一つを含む、請求項１に記載の超高画質放送信号受信装置。
【請求項４】
前記ディスプレイ情報メタデータは、任意のガマット指定の有無を示すガマット指定フラグ情報、コンテンツの色感を表現できる標準色空間を示す基準ガマット情報、標準色空間でない任意の色空間を指定する場合、任意の色空間でレッド、グリーン及びブルー色相の座標を示す任意のガマット色空間座標情報、標準色空間を基準にして任意の色空間への変換がなされる場合、変換のために使用される係数の個数を示す係数ナンバー情報、及び前記任意の色空間への変換のために使用される係数を示すガマットマッピング係数情報のうち少なくともいずれか一つを含む、請求項１に記載の超高画質放送信号受信装置。
【請求項５】
前記ディスプレイ情報メタデータは、ＳＥＩメッセージに含まれて伝送されたり、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される、請求項２〜４のいずれか一項に記載の超高画質放送信号受信装置。
【請求項６】
前記ディスプレイ情報メタデータは、前記イベント情報テーブル（Ｅｖｅｎｔ  Ｉｎｆｏｒｍａｔｉｏｎ  Ｔａｂｌｅ；ＥＩＴ）内に各イベントに適用される情報を記述するイベントレベルディスクリプタに含まれて伝送される、請求項５に記載の超高画質放送信号受信装置。
【請求項７】
前記イベント情報テーブル（Ｅｖｅｎｔ  Ｉｎｆｏｒｍａｔｉｏｎ  Ｔａｂｌｅ；ＥＩＴ）は、ディスプレイ情報メタデータが含まれている超高画質放送サービスを識別する超高画質プログラム情報ディスクリプタをさらに含む、請求項５に記載の超高画質放送信号受信装置。
【請求項８】
超高画質放送コンテンツを構成する超高画質ビデオデータ、及び前記超高画質放送コンテンツに適したディスプレイ環境情報を示すディスプレイ情報メタデータをエンコードすることと、
前記エンコードされた超高画質ビデオデータ及びディスプレイ情報メタデータを多重化することと、
前記多重化された超高画質ビデオデータ及びディスプレイ情報メタデータを伝送することを含む、超高画質放送信号送信方法。
【請求項９】
前記ディスプレイ情報メタデータは、前記超高画質放送コンテンツを最適なディスプレイ環境で再生するために必要な勧奨ディスプレイ明るさ範囲のうち最小明るさを示す最小基準明るさ情報、超高画質放送コンテンツを最適なディスプレイ環境で再生するために必要な勧奨ディスプレイ明るさ範囲のうち最大明るさを示す最大基準明るさ情報、及び放送信号受信側のディスプレイに示される明るさを計算するＥＯＴＦ（Ｅｌｅｃｔｒｏ  Ｏｐｔｉｃａｌ  Ｔｒａｎｓｆｅｒ  Ｆｕｎｃｔｉｏｎ）関数に使用されるガンマ指数を示すＥＯＴＦガンマ指数情報のうち少なくともいずれか一つを含む、請求項８に記載の超高画質放送信号送信方法。
【請求項１０】
前記ディスプレイ情報メタデータは、既に設定された色温度による無彩色の色空間上の位置関連情報を示す基準無彩色の色空間情報、任意の色温度指定の有無を示す色温度指定フラグ情報、及び任意の色温度を指定する場合、任意の色温度による無彩色の色空間上の位置関連情報を示す任意の無彩色の色空間情報のうち少なくともいずれか一つを含む、請求項８に記載の超高画質放送信号送信方法。
【請求項１１】
前記ディスプレイ情報メタデータは、任意のガマット指定の有無を示すガマット指定フラグ情報、コンテンツの色感を表現できる標準色空間を示す基準ガマット情報、標準色空間でない任意の色空間を指定する場合、任意の色空間でレッド、グリーン及びブルー色相の座標を示す任意のガマット色空間座標情報、標準色空間を基準にして任意の色空間への変換がなされる場合、変換のために使用される係数の個数を示す係数ナンバー情報、及び前記任意の色空間への変換のために使用される係数を示すガマットマッピング係数情報のうち少なくともいずれか一つを含む、請求項８に記載の超高画質放送信号送信方法。
【請求項１２】
前記ディスプレイ情報メタデータは、ＳＥＩメッセージに含まれて伝送されたり、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される、請求項９〜１１のいずれか一項に記載の超高画質放送信号送信方法。
【請求項１３】
前記ディスプレイ情報メタデータは、前記イベント情報テーブル（Ｅｖｅｎｔ  Ｉｎｆｏｒｍａｔｉｏｎ  Ｔａｂｌｅ；ＥＩＴ）内に各イベントに適用される情報を記述するイベントレベルディスクリプタに含まれて伝送される、請求項１２に記載の超高画質放送信号送信方法。
【請求項１４】
前記イベント情報テーブル（Ｅｖｅｎｔ  Ｉｎｆｏｒｍａｔｉｏｎ  Ｔａｂｌｅ；ＥＩＴ）は、ディスプレイ情報メタデータが含まれている超高画質放送サービスを識別する超高画質プログラム情報ディスクリプタをさらに含む、請求項１２に記載の超高画質放送信号送信方法。
【発明の詳細な説明】
【技術分野】
【０００１】
本発明は、放送システムに関し、より詳細には、デジタル放送システムで高品質の色感表現のための超高画質放送信号を送受信する方法及び／または装置に関する。
【背景技術】
【０００２】
デジタル技術及び通信技術の発展に伴い、放送、映画のみならず、インターネット及び個人メディアなどの多様な領域でオーディオ／ビデオ中心のマルチメディアコンテンツの普及及び需要が急速に拡大されている。さらに、放送及び映画を介して立体感を提供する３ＤＴＶ／３Ｄ映画の普遍化と共に、現実感と臨場感を提供する実感メディアに対する消費者の要求が増加している。また、ディスプレイ技術の発展と共に、家庭でのＴＶ画面が大型化されるにつれて、ＨＤ級以上の高画質に実感のあるコンテンツを楽しもうとする消費が増加している。これによって、ポスト（Ｐｏｓｔ）―ＨＤＴＶ市場に備えて、３ＤＴＶと共にＵＨＤＴＶ（Ｕｌｔｒａ  Ｈｉｇｈ  Ｄｅｆｉｎｉｔｉｏｎ  ＴＶ）などの実感放送が次世代の放送サービスとして関心を受けており、特に、ＵＨＤ（Ｕｌｔｒａ  Ｈｉｇｈ  Ｄｅｆｉｎｉｔｉｏｎ）放送サービスに対する論議が増加している趨勢である。
【０００３】
ＵＨＤ放送は、既存のＨＤ放送に比べて多様な面で視聴者に豊かな色相、向上した画質及び没入感を提供することを目標とする。これによって、既存のＴＶに比べて広い色域を定めるなどのＵＨＤ放送関連標準が制定された。ＵＨＤコンテンツは、ＨＶＳ（Ｈｕｍａｎ  Ｖｉｓｕａｌ  Ｓｙｓｔｅｍ）を通じて直接獲得する色感に最も近い情報を提供することによって、向上した画質及び生動感を提供することができる。現在の放送システムでも、最適な色感のためにコンテンツ伝送前に色感向上のための多様な後処理過程を経るが、視聴者のディスプレイ環境とコンテンツ製作者の作業環境との差によって色感が完璧に表現されない。
【０００４】
ＵＨＤ放送では、高画質映像を提供するために必要な多様な要素のうち色相の表現範囲が拡大された。これによって、高品質の色感を提供することが重要になった。しかし、放送コンテンツの製作者は高品質の色感を映像に表現するために多様な技法を使用する一方、受信者は受信機及びディスプレイの多様性によってコンテンツ製作者の意図と異なる色感で表現されるコンテンツの提供を受けるという問題が発生し得る。これによって、受信者は、視聴環境に応じて互いに異なる情報を獲得するようになり、製作者の意図とは異なり、色感の面で劣化した映像を視聴するようになるという問題が存在する。
【発明の概要】
【発明が解決しようとする課題】
【０００５】
本発明が達成しようとする課題は、上述した問題を解決するために、高品質の色感表現が可能な超高画質放送信号を送受信する方法及び／または装置を提供することにある。
【０００６】
さらに、本発明が達成しようとする課題は、コンテンツ製作者が意図した通りの色感が表現される超高画質放送信号を送受信する方法及び／または装置を提供することにある。
【０００７】
さらに、本発明が達成しようとする課題は、超高画質放送コンテンツに適するように受信装置のディスプレイ環境を調整する方法を提供することにある。
【課題を解決するための手段】
【０００８】
本発明の一実施例に係る超高画質放送信号受信装置は、超高画質放送コンテンツ、及び前記超高画質放送コンテンツに適したディスプレイ環境情報を示すディスプレイ情報メタデータを含む超高画質放送信号を受信する受信部と、前記受信された超高画質放送コンテンツ及びディスプレイ情報メタデータをデコードするデコーダーと、前記ディスプレイ情報メタデータを用いて前記超高画質放送コンテンツに適したディスプレイ環境に前記受信装置のディスプレイ環境を調整する制御部と、前記超高画質放送コンテンツを再生する再生部とを含む。
【０００９】
好ましくは、前記ディスプレイ情報メタデータは、前記超高画質放送コンテンツをディスプレイするために要求される最小基準明るさを示す最小基準明るさ情報、超高画質放送コンテンツをディスプレイするために要求される最大基準明るさを示す最大基準明るさ情報、及び受信装置の再生部に示される明るさを計算するＥＯＴＦ（Ｅｌｅｃｔｒｏ  Ｏｐｔｉｃａｌ  Ｔｒａｎｓｆｅｒ  Ｆｕｎｃｔｉｏｎ）関数に使用されるガンマ指数を示すＥＯＴＦガンマ指数情報のうち少なくともいずれか一つを含む。
【００１０】
好ましくは、前記ディスプレイ情報メタデータは、既に設定された色温度による無彩色の色空間上の位置関連情報を示す基準無彩色の色空間情報、任意の色温度指定の有無を示す色温度指定フラグ情報、及び任意の色温度を指定する場合、任意の色温度による無彩色の色空間上の位置関連情報を示す任意の無彩色の色空間情報のうち少なくともいずれか一つを含む。
【００１１】
好ましくは、前記ディスプレイ情報メタデータは、任意のガマット指定の有無を示すガマット指定フラグ情報、コンテンツの色感を表現できる標準色空間を示す基準ガマット情報、標準色空間でない任意の色空間を指定する場合、任意の色空間でレッド、グリーン及びブルー色相の座標を示す任意のガマット色空間座標情報、標準色空間を基準にして任意の色空間への変換がなされる場合、変換のために使用される係数の個数を示す係数ナンバー情報、及び前記任意の色空間への変換のために使用される係数を示すガマットマッピング係数情報のうち少なくともいずれか一つを含む。
【００１２】
好ましくは、前記ディスプレイ情報メタデータは、ＳＥＩメッセージに含まれて伝送されたり、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される。
【００１３】
好ましくは、前記ディスプレイ情報メタデータは、前記イベント情報テーブル（Ｅｖｅｎｔ  Ｉｎｆｏｒｍａｔｉｏｎ  Ｔａｂｌｅ；ＥＩＴ）内に各イベントに適用される情報を記述するイベントレベルディスクリプタに含まれて伝送される。
【００１４】
好ましくは、前記イベント情報テーブル（Ｅｖｅｎｔ  Ｉｎｆｏｒｍａｔｉｏｎ  Ｔａｂｌｅ；ＥＩＴ）は、ディスプレイ情報メタデータが含まれている超高画質放送サービスを識別する超高画質プログラム情報ディスクリプタをさらに含む。
【００１５】
本発明の他の一実施例に係る超高画質放送信号送信方法は、超高画質放送コンテンツを構成する超高画質ビデオデータ、及び前記超高画質放送コンテンツに適したディスプレイ環境情報を示すディスプレイ情報メタデータをエンコードすること、前記エンコードされた超高画質ビデオデータ及びディスプレイ情報メタデータを多重化すること、及び前記多重化された超高画質ビデオデータ及びディスプレイ情報メタデータを伝送することを含む。
【００１６】
好ましくは、前記ディスプレイ情報メタデータは、前記超高画質放送コンテンツをディスプレイするために要求される最小基準明るさを示す最小基準明るさ情報、超高画質放送コンテンツをディスプレイするために要求される最大基準明るさを示す最大基準明るさ情報、及び放送信号受信側のディスプレイに示される明るさを計算するＥＯＴＦ（Ｅｌｅｃｔｒｏ  Ｏｐｔｉｃａｌ  Ｔｒａｎｓｆｅｒ  Ｆｕｎｃｔｉｏｎ）関数に使用されるガンマ指数を示すＥＯＴＦガンマ指数情報のうち少なくともいずれか一つを含む。
【００１７】
好ましくは、前記ディスプレイ情報メタデータは、既に設定された色温度による無彩色の色空間上の位置関連情報を示す基準無彩色の色空間情報、任意の色温度指定の有無を示す色温度指定フラグ情報、及び任意の色温度を指定する場合、任意の色温度による無彩色の色空間上の位置関連情報を示す任意の無彩色の色空間情報のうち少なくともいずれか一つを含む。
【００１８】
好ましくは、前記ディスプレイ情報メタデータは、任意のガマット指定の有無を示すガマット指定フラグ情報、コンテンツの色感を表現できる標準色空間を示す基準ガマット情報、標準色空間でない任意の色空間を指定する場合、任意の色空間でレッド、グリーン及びブルー色相の座標を示す任意のガマット色空間座標情報、標準色空間を基準にして任意の色空間への変換がなされる場合、変換のために使用される係数の個数を示す係数ナンバー情報、及び前記任意の色空間への変換のために使用される係数を示すガマットマッピング係数情報のうち少なくともいずれか一つを含む。
【００１９】
好ましくは、前記ディスプレイ情報メタデータは、ＳＥＩメッセージに含まれて伝送されたり、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含まれて伝送される。
【００２０】
好ましくは、前記ディスプレイ情報メタデータは、前記イベント情報テーブル（Ｅｖｅｎｔ  Ｉｎｆｏｒｍａｔｉｏｎ  Ｔａｂｌｅ；ＥＩＴ）内に各イベントに適用される情報を記述するイベントレベルディスクリプタに含まれて伝送される。
【００２１】
好ましくは、前記イベント情報テーブル（Ｅｖｅｎｔ  Ｉｎｆｏｒｍａｔｉｏｎ  Ｔａｂｌｅ；ＥＩＴ）は、ディスプレイ情報メタデータが含まれている超高画質放送サービスを識別する超高画質プログラム情報ディスクリプタをさらに含む。
【発明の効果】
【００２２】
本発明によると、コンテンツ製作者が意図した色感に近い超高画質放送コンテンツを受信／再生することができる。
【００２３】
本発明によると、コンテンツ製作者が意図した色感に近い色感が表現されるように超高画質放送信号受信装置のディスプレイ環境を調整することができる。
【００２４】
本発明によると、コンテンツの特性及び受信装置のディスプレイ特性を考慮した最適な鑑賞環境を視聴者に提供することができる。
【００２５】
本発明によると、コンテンツ製作者は、提供するコンテンツに対して意図したことを視聴者に直ぐ伝達することができる。
【図面の簡単な説明】
【００２６】
【図１】本発明の一実施例に係る超高画質放送信号受信装置の動作を示したフローチャートである。
【図２】本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）の構造を示した図である。
【図３】本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）に含まれて伝送されるディスプレイ情報メタデータ（ｃｏｌｏｒ＿ｍａｎａｇｅｍｅｎｔ＿ｉｎｆｏ（ｐａｙｌｏａｄＳｉｚｅ））を示した図である。
【図４】本発明の一実施例に係るＥＯＴＦ関数によって計算される最小基準明るさ及び最大基準明るさのデジタル値を示した図である。
【図５】本発明の一実施例に係るＣＩＥ  １９３１標準色空間で指定された各色温度によるホワイト色相の座標を示した図である。
【図６】本発明の一実施例に係る基準ガマット情報（ｃｏｌｏｒ＿ｇａｍｕｔ）によって定義される標準色空間を示した図である。
【図７】本発明の一実施例に係るＥＩＴ（Ｅｖｅｎｔ  Ｉｎｆｏｒｍａｔｉｏｎ  Ｔａｂｌｅ）を示した図である。
【図８】本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））を示した図である。
【図９】本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））に含まれたディスプレイ情報メタデータ（ｃｏｌｏｒ＿ｍａｎａｇｅｍｅｎｔ＿ｍｅｔａｄａｔａ（））を示した図である。
【図１０】本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））を示した図である。
【図１１】本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））に含まれたＵＨＤ＿ｓｅｒｖｉｃｅ＿ｔｙｐｅフィールドを示した図である。
【図１２】本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）を示した図である。
【図１３】本発明の一実施例に係る超高画質放送サービスであることを識別できるディスクリプタを示した図である。
【図１４】本発明の一実施例に係る超高画質放送信号送信方法を示した図である。
【発明を実施するための形態】
【００２７】
以下、添付の各図面及び添付の各図面に記載した各内容を参照して本発明の実施例を詳細に説明するが、本発明が各実施例によって制限または限定されることはない。
【００２８】
本明細書で使用される用語としては、本発明での機能を考慮しながら、可能な限り現在広く使用される一般的な用語を選択したが、これは、当分野に携わる技術者の意図、慣例または新たな技術の出現などによって変わり得る。また、特定の場合は、出願人が任意に選定した用語もあり、この場合、該当の発明の説明部分でその意味を記載する。したがって、本明細書で使用される用語は、単純な用語の名称ではなく、その用語が持つ実質的な意味と本明細書の全般にわたった内容に基づいて解釈すべきであることを明らかにしておく。
【００２９】
図１は、本発明の一実施例に係る超高画質放送信号受信装置の動作を示したフローチャートである。
【００３０】
本発明の一実施例に係る超高画質放送信号受信装置は、逆多重化部（Ｄｅｍｕｌｔｉｐｌｅｘｅｒ）１０１０、デコーダー（Ｄｅｃｏｄｅｒ）１０２０及び／または制御部（Ｃｏｎｔｒｏｌｌｅｒ）１０３０を含むことができる。
【００３１】
逆多重化部（Ｄｅｍｕｌｔｉｐｌｅｘｅｒ）１０１０は、超高画質放送ストリーム、及び超高画質放送コンテンツに適したディスプレイ環境を示すディスプレイ情報メタデータを受信する受信部（Ｒｅｃｅｉｖｅｒ）（図示せず）を含むことができる。逆多重化部は、多重化されて受信された超高画質放送ストリーム（ＵＨＤ  ｓｔｒｅａｍ）をそれぞれの単位ストリーム（Ｅｌｅｍｅｎｔａｒｙ  Ｓｔｒｅａｍ）に逆多重化させることができる。例えば、単位ストリームは、ビデオデータを伝送するビデオ単位ストリーム、オーディオデータを伝送するオーディオ単位ストリームなどを含むことができる。ディスプレイ情報メタデータも、超高画質メディアデータと共に多重化されて一つの超高画質放送ストリームとして受信され得る。この場合、逆多重化部は、多重化されて受信された超高画質放送ストリームをそれぞれの単位ストリーム及び／またはディスプレイ情報メタデータに逆多重化させることができる。
【００３２】
デコーダー（Ｄｅｃｏｄｅｒ）１０２０は、逆多重化された単位ストリームが伝送するメディアデータ及び／またはディスプレイ情報メタデータをデコードすることができる。前記単位ストリームが伝送するメディアデータは、超高画質ビデオデータを含むことができる。
【００３３】
制御部（Ｃｏｎｔｒｏｌｌｅｒ）１０３０は、受信部を介してディスプレイ情報メタデータが超高画質放送ストリームと共に受信される場合、ディスプレイ情報メタデータの情報を使用するか否かを決定することができる。すなわち、制御部は、受信装置のディスプレイ環境を受信された超高画質放送コンテンツに適したディスプレイ環境に調整するか否かを決定することができる。ディスプレイ環境の調整有無は、視聴者によって選択することができ、受信装置によって自動的に選択することができる。ディスプレイ環境の調整有無の決定は、色相向上モード（Ｃｏｌｏｒ  Ｅｎｈａｎｃｅｍｅｎｔ  Ｍｏｄｅ）などの別途のモードで具現することができる。色相向上モードは、視聴者によってＴＶのプリセット（ｐｒｅｓｅｔ）で予め指定することができ、この場合、別途の選択段階がなくても自動的にディスプレイ環境を調整することができる。ＴＶのプリセットでディスプレイ環境の調整有無を予め指定した場合は、チャンネル転換時にもこのような設定を同一に維持することができる。色相向上モードは、超高画質放送コンテンツ供給段階で指定することができる。この場合、受信装置で当該モードをサポートする場合、別途の選択段階がなくても自動的にディスプレイ環境を調整することができる。
【００３４】
制御部は、ディスプレイ環境の調整有無を決定するとき、受信されたディスプレイ情報メタデータの分析を通じて超高画質放送コンテンツに適したディスプレイ環境が受信装置のディスプレイで適用可能であるか否かを判断することができ、超高画質放送コンテンツに適したディスプレイ環境を受信装置のディスプレイに全部適用するか、条件付きで適用するか、それとも適用しないかをさらに考慮することができる。ここで、受信装置のディスプレイで適用可能であるか否かを判断するために、ＳＥＩメッセージまたはイベント情報テーブル（Ｅｖｅｎｔ  Ｉｎｆｏｒｍａｔｉｏｎ  Ｔａｂｌｅ；ＥＩＴ）に含まれて伝送されるディスプレイ情報メタデータを用いることができる。適用可能な明るさ範囲は、最小基準明るさ情報（ｒｅｆｅｒｅｎｃｅ＿ｂｌａｃｋ＿ｌｕｍｉｎａｎｃｅ＿ｌｅｖｅｌ）及び／または最大基準明るさ情報（ｒｅｆｅｒｅｎｃｅ＿ｗｈｉｔｅ＿ｌｕｍｉｎａｎｃｅ＿ｌｅｖｅｌ）を用いて判断することができ、適用可能な色相範囲は、基準ガマット情報（ｃｏｌｏｒ＿ｇａｍｕｔ）及び／または任意のガマット色空間座標情報（ｃｏｌｏｒ＿ｐｒｉｍａｒｙ＿ｒ＿ｘ、ｃｏｌｏｒ＿ｐｒｉｍａｒｙ＿ｒ＿ｙ、ｃｏｌｏｒ＿ｐｒｉｍａｒｙ＿ｇ＿ｘ、ｃｏｌｏｒ＿ｐｒｉｍａｒｙ＿ｇ＿ｙ、ｃｏｌｏｒ＿ｐｒｉｍａｒｙ＿ｂ＿ｘ、ｃｏｌｏｒ＿ｐｒｉｍａｒｙ＿ｂ＿ｙ）を用いて判断することができる。受信装置のディスプレイが前記明るさ範囲に対する情報及び色相範囲に対する情報を全て満足する場合は、超高画質放送コンテンツに適したディスプレイ環境を全部適用することができ、一部のみを満足したり、視聴者によって特定の情報が無視される場合は、条件付きで適用することができる。前記ＳＥＩメッセージまたはイベント情報テーブル（Ｅｖｅｎｔ  Ｉｎｆｏｒｍａｔｉｏｎ  Ｔａｂｌｅ；ＥＩＴ）に含まれて伝送されるディスプレイ情報メタデータに対しては、後で詳細に説明することにする。
【００３５】
制御部は、予約視聴などの環境でＥＰＧ（Ｅｌｅｃｔｒｏｎｉｃ  Ｐｒｏｇｒａｍ  Ｇｕｉｄｅ）を通じてディスプレイ環境の調整有無に対して視聴者に知らせるように受信装置を制御することができ、ディスプレイ環境を調整することが決定される場合、受信装置が前記決定を記憶してから、該当のチャンネルがディスプレイされるときに自動的にディスプレイ環境を調整することができる。
【００３６】
制御部は、色相向上モードの使用が決定されると、すなわち、受信装置のディスプレイ環境を調整することが決定されると、ディスプレイ情報メタデータに基づいて受信される超高画質放送コンテンツに適するように受信装置のディスプレイ環境を調整し、視聴者が最適な色感を鑑賞できる環境を提供することができる。この場合、超高画質放送コンテンツの広い色域（Ｗｉｄｅ  Ｃｏｌｏｒ  Ｇａｍｕｔ；ＷＣＧ）を有する特性及び受信装置のディスプレイの収容可能なＷＣＧ関連特性を考慮して受信装置のディスプレイ環境を調整することができる。その一方、制御部は、色相向上モードを使用しないことが決定されると、すなわち、受信装置のディスプレイ環境を調整しないことが決定されると、受信された超高画質放送コンテンツが基本的に設定された受信装置のディスプレイ環境で再生されるように制御することができる。このとき、受信されたディスプレイ情報メタデータは使用されない場合もある。
【００３７】
制御部は、受信装置のディスプレイ環境が調整された後で他のチャンネルに転換される場合、調整された現在のチャンネルのディスプレイ環境を記憶するように受信装置を制御することができ、その後、現在のチャンネルに戻ったときに該当のプログラムが継続して放映中であると、記憶されたディスプレイ環境を再び使用して同一のディスプレイ環境を提供することができる。
【００３８】
制御部は、受信装置のディスプレイ環境を調整することが決定されると、ディスプレイ情報メタデータに基づいてディスプレイの明るさ、色温度、色空間などを自動的に変更し、受信装置のディスプレイ環境を超高画質放送コンテンツを鑑賞するのに最適なディスプレイ環境に調整することができる。このとき、制御部が受信装置のディスプレイ環境を調整する過程は、明るさ範囲調整段階（Ｌｕｍｉｎａｎｃｅ  ｒａｎｇｅ  ａｄｊｕｓｔｍｅｎｔ；Ｓ１０４０）、ＥＯＴＦ調整段階（ＥＯＴＦ  ａｄｊｕｓｔｍｅｎｔ；Ｓ１０５０）、ホワイトポイント調整段階（Ｗｈｉｔｅ  ｐｏｉｎｔ  ａｄｊｕｓｔｍｅｎｔ；S１０６０）、基準ガマット調整段階（Ｃｏｌｏｒ  ｇａｍｕｔ  ａｄｊｕｓｔｍｅｎｔ；Ｓ１０７０）及び／または向上したガマットマッピング段階（Ｅｎｈａｎｃｅｄ  ｇａｍｕｔ  ｍａｐｐｉｎｇ；Ｓ１０８０）を含むことができる。
【００３９】
明るさ範囲調整段階（Ｌｕｍｉｎａｎｃｅ  ｒａｎｇｅ  ａｄｊｕｓｔｍｅｎｔ；Ｓ１０４０）において、受信装置のディスプレイの表現可能な最小及び最大明るさ範囲がディスプレイ情報メタデータに含まれた最小基準明るさ情報（ｒｅｆｅｒｅｎｃｅ＿ｂｌａｃｋ＿ｌｕｍｉｎａｎｃｅ＿ｌｅｖｅｌ）及び最大基準明るさ情報（ｒｅｆｅｒｅｎｃｅ＿ｗｈｉｔｅ＿ｌｕｍｉｎａｎｃｅ＿ｌｅｖｅｌ）を収容できる場合、制御部は、前記最小基準明るさ情報及び最大基準明るさ情報を用いて受信装置のディスプレイの明るさ範囲を調整することができる。このとき、ディスプレイ情報メタデータに含まれる情報は、最小基準明るさ情報及び最大基準明るさ情報でない明暗（Ｃｏｎｔｒａｓｔ  ａｎｄ  Ｂｒｉｇｈｔｎｅｓｓ）情報及び／またはゲインアンドオフセット（Ｇａｉｎ  ａｎｄ  Ｏｆｆｓｅｔ）情報を含むことができる。前記ディスプレイ情報メタデータに含まれた最小基準明るさ情報（ｒｅｆｅｒｅｎｃｅ＿ｂｌａｃｋ＿ｌｕｍｉｎａｎｃｅ＿ｌｅｖｅｌ）及び最大基準明るさ情報（ｒｅｆｅｒｅｎｃｅ＿ｗｈｉｔｅ＿ｌｕｍｉｎａｎｃｅ＿ｌｅｖｅｌ）に対しては、後で詳細に説明することにする。
【００４０】
ＥＯＴＦ調整段階（ＥＯＴＦ  ａｄｊｕｓｔｍｅｎｔ；Ｓ１０５０）において、制御部は、ディスプレイ情報メタデータに含まれたＥＯＴＦガンマ指数情報（ＥＯＴＦ＿ｇａｍｍａ）を用いて受信装置の再生部に示される明るさを調整することができる。ＥＯＴＦ（Ｅｌｅｃｔｒｏ―Ｏｐｔｉｃａｌ  Ｔｒａｎｓｆｅｒ  Ｆｕｎｃｔｉｏｎ；ＥＯＴＦ）とは、ディスプレイのデジタル入力値と出力明るさ値との関係を示したり、ディスプレイの入力明るさ値と出力デジタル値との関係を示す変換関数である。上述したＥＯＴＦガンマ指数情報（ＥＯＴＦ＿ｇａｍｍａ）に対しては、後で詳細に説明することにする。
【００４１】
ホワイトポイント調整段階（Ｗｈｉｔｅ  ｐｏｉｎｔ  ａｄｊｕｓｔｍｅｎｔ；Ｓ１０６０）において、制御部は、受信装置のディスプレイの基準無彩色の調整を通じて色相表現の基準を変更することができる。制御部は、ディスプレイ情報メタデータに含まれた基準無彩色の色空間情報（ｒｅｆｅｒｅｎｃｅ＿ｗｈｉｔｅ＿ｃｏｌｏｒ＿ｔｅｍｐｅｒａｔｕｒｅ）または任意の無彩色の色空間情報（ｗｈｉｔｅ＿ｐｒｉｍａｒｙ＿ｘ、ｗｈｉｔｅ＿ｐｒｉｍａｒｙ＿ｙ）を用いて受信装置のディスプレイの色相表現の基準を調整することができる。前記基準無彩色の色空間情報（ｒｅｆｅｒｅｎｃｅ＿ｗｈｉｔｅ＿ｃｏｌｏｒ＿ｔｅｍｐｅｒａｔｕｒｅ）及び任意の無彩色の色空間情報（ｗｈｉｔｅ＿ｐｒｉｍａｒｙ＿ｘ、ｗｈｉｔｅ＿ｐｒｉｍａｒｙ＿ｙ）に対しては、後で詳細に説明することにする。
【００４２】
基準ガマット調整段階（Ｃｏｌｏｒ  ｇａｍｕｔ  ａｄｊｕｓｔｍｅｎｔ；Ｓ１０７０）において、制御部は、受信装置のディスプレイの色相表現範囲及び／または基準色相（Ｒｅｄ、Ｇｒｅｅｎ、Ｂｌｕｅ）を変更することができる。制御部は、ディスプレイ情報メタデータに含まれた超高画質放送コンテンツの色相表現範囲及び／または基準色相情報が受信装置のディスプレイの色相表現範囲で再現可能である場合、ディスプレイ情報メタデータに含まれた基準ガマット情報（ｃｏｌｏｒ＿ｇａｍｕｔ）を用いて受信装置のディスプレイの色相表現範囲及び／または基準色相を調整することができる。前記基準ガマット情報（ｃｏｌｏｒ＿ｇａｍｕｔ）に対しては、後で詳細に説明することにする。
【００４３】
色空間変換段階（Ｅｎｈａｎｃｅｄ  ｇａｍｕｔ  ｍａｐｐｉｎｇ；Ｓ１０８０）は、前記基準ガマット調整段階を通じて超高画質放送コンテンツに適したディスプレイの色相表現範囲を十分に示すことができない場合、当該段階を通じて受信装置のディスプレイの色相表現範囲及び／または基準色相を調整することができる。制御部は、ディスプレイ情報メタデータに含まれた任意のガマット色空間座標情報（ｃｏｌｏｒ＿ｐｒｉｍａｒｙ＿ｒ＿ｘ、ｃｏｌｏｒ＿ｐｒｉｍａｒｙ＿ｒ＿ｙ、ｃｏｌｏｒ＿ｐｒｉｍａｒｙ＿ｇ＿ｘ、ｃｏｌｏｒ＿ｐｒｉｍａｒｙ＿ｇ＿ｙ、ｃｏｌｏｒ＿ｐｒｉｍａｒｙ＿ｂ＿ｘ、ｃｏｌｏｒ＿ｐｒｉｍａｒｙ＿ｂ＿ｙ）が受信装置のディスプレイで収容可能な色相表現範囲である場合、ディスプレイ情報メタデータに含まれたガマットマッピング係数情報（ｇａｍｕｔ＿ｍａｐｐｉｎｇ＿ｃｏｅｆｆ［ｉ］）を用いてマッピング関数（ｍａｐｐｉｎｇ  ｆｕｎｃｔｉｏｎ）を構成し、前記マッピング関数を用いてガマットマッピング（ｃｏｌｏｒ  ｇａｍｕｔ  ｍａｐｐｉｎｇ）を行い、受信装置のディスプレイの色相表現範囲及び基準色相を調整することができる。前記任意のガマット色空間座標情報（ｃｏｌｏｒ＿ｐｒｉｍａｒｙ＿ｒ＿ｘ、ｃｏｌｏｒ＿ｐｒｉｍａｒｙ＿ｒ＿ｙ、ｃｏｌｏｒ＿ｐｒｉｍａｒｙ＿ｇ＿ｘ、ｃｏｌｏｒ＿ｐｒｉｍａｒｙ＿ｇ＿ｙ、ｃｏｌｏｒ＿ｐｒｉｍａｒｙ＿ｂ＿ｘ、ｃｏｌｏｒ＿ｐｒｉｍａｒｙ＿ｂ＿ｙ）及びガマットマッピング係数情報（ｇａｍｕｔ＿ｍａｐｐｉｎｇ＿ｃｏｅｆｆ［ｉ］）に対しては、後で詳細に説明する。
【００４４】
本発明の一実施例に係る超高画質放送信号受信装置は、制御部によって調整されたディスプレイ環境で受信された超高画質放送コンテンツを再生する再生部（図示せず）を含むことができる。
【００４５】
本発明の一実施例によると、受信装置のディスプレイ環境が既に調整された状態で受信された超高画質放送コンテンツにより適した色空間が提供される場合、制御部は、受信されたディスプレイ情報メタデータを用いて色空間変換（Ｅｎｈａｎｃｅｄ  ｇａｍｕｔ  ｍａｐｐｉｎｇ）をさらに行うことができる。
【００４６】
本発明の一実施例によると、受信装置のディスプレイ環境を調整する場合（色相向上モード（ｃｏｌｏｒ  ｅｎｈａｎｃｅｍｅｎｔ  ｍｏｄｅ）の使用）、受信装置でイメージ処理または向上処理（ｉｍａｇｅ  ｐｒｏｃｅｓｓｉｎｇ  ｏｒ  ｅｎｈａｎｃｅｍｅｎｔ  ｐｒｏｃｅｓｓｉｎｇ）過程は行われないこともある。
【００４７】
図２は、本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）の構造を示した図である。
【００４８】
本発明の一実施例に係るディスプレイ情報メタデータ（ｃｏｌｏｒ＿ｍａｎａｇｅｍｅｎｔ＿ｉｎｆｏ（ｐａｙｌｏａｄＳｉｚｅ））は、ＳＥＩメッセージを伝送するパケットのペイロードに含まれて伝送され得る。
【００４９】
図３は、本発明の一実施例に係るＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）に含まれて伝送されるディスプレイ情報メタデータ（ｃｏｌｏｒ＿ｍａｎａｇｅｍｅｎｔ＿ｉｎｆｏ（ｐａｙｌｏａｄＳｉｚｅ））を示した図である。
【００５０】
本発明の一実施例に係るディスプレイ情報メタデータ（ｃｏｌｏｒ＿ｍａｎａｇｅｍｅｎｔ＿ｉｎｆｏ（ｐａｙｌｏａｄＳｉｚｅ））は、色温度指定フラグ情報（ｗｈｉｔｅ＿ａｄｊｕｓｔｍｅｎｔ＿ｆｌａｇ）、ガマット指定フラグ情報（ｇａｍｕｔ＿ｍａｐｐｉｎｇ＿ｆｌａｇ）、最小基準明るさ情報（ｒｅｆｅｒｅｎｃｅ＿ｂｌａｃｋ＿ｌｕｍｉｎａｎｃｅ＿ｌｅｖｅｌ）、最大基準明るさ情報（ｒｅｆｅｒｅｎｃｅ＿ｗｈｉｔｅ＿ｌｕｍｉｎａｎｃｅ＿ｌｅｖｅｌ）、ＥＯＴＦガンマ指数情報（ＥＯＴＦ＿ｇａｍｍａ）、基準無彩色の色空間情報（ｒｅｆｅｒｅｎｃｅ＿ｗｈｉｔｅ＿ｃｏｌｏｒ＿ｔｅｍｐｅｒａｔｕｒｅ）、任意の無彩色の色空間情報（ｗｈｉｔｅ＿ｐｒｉｍａｒｙ＿ｘ、ｗｈｉｔｅ＿ｐｒｉｍａｒｙ＿ｙ）、基準ガマット情報（ｃｏｌｏｒ＿ｇａｍｕｔ）、任意のガマット色空間座標情報（ｃｏｌｏｒ＿ｐｒｉｍａｒｙ＿ｒ＿ｘ、ｃｏｌｏｒ＿ｐｒｉｍａｒｙ＿ｒ＿ｙ、ｃｏｌｏｒ＿ｐｒｉｍａｒｙ＿ｇ＿ｘ、ｃｏｌｏｒ＿ｐｒｉｍａｒｙ＿ｇ＿ｙ、ｃｏｌｏｒ＿ｐｒｉｍａｒｙ＿ｂ＿ｘ、ｃｏｌｏｒ＿ｐｒｉｍａｒｙ＿ｂ＿ｙ）、係数ナンバー情報（ｎｕｍｂｅｒ＿ｏｆ＿ｃｏｅｆｆ）及び／またはガマットマッピング係数情報（ｇａｍｕｔ＿ｍａｐｐｉｎｇ＿ｃｏｅｆｆ［ｉ］）を含むことができる。
【００５１】
色温度指定フラグ情報（ｗｈｉｔｅ＿ａｄｊｕｓｔｍｅｎｔ＿ｆｌａｇ）は、向上した色感表現のために追加的な処理をする場合、ホワイト色相の色空間座標に変化があるか否かを示す。色温度指定フラグ情報のフィールド値が「０」である場合は、追加的な色感向上のための過程がないか、追加的な色感向上のための過程があるとしてもホワイト色相の色空間座標に変化がないことを示す。色温度指定フラグ情報のフィールド値が「１」である場合は、追加的な色感向上のために任意のホワイト色相の色空間座標が使用されることを示す。色温度指定フラグ情報は、既に設定された基準色温度でない任意の色温度が指定されるか否かを示すことができる。ここで、既に設定された基準色温度とは、ＣＩＥ  １９３１などの標準で定義された色空間で定義された色温度を意味し得る。
【００５２】
ガマット指定フラグ情報（ｇａｍｕｔ＿ｍａｐｐｉｎｇ＿ｆｌａｇ）は、基本的に設定されたガマット（ｇａｍｕｔ）に比べて向上したガマットが使用されるか否かを示す。ガマット指定フラグ情報のフィールド値が「０」である場合は、基本的に設定された標準ガマットが使用されることを示し、フィールド値が「１」である場合は、後述する任意のガマット色空間座標情報を用いて任意のガマットが使用されることを示す。ガマット指定フラグ情報は、任意のガマットが指定されるか否かを示すことができる。
【００５３】
最小基準明るさ情報（ｒｅｆｅｒｅｎｃｅ＿ｂｌａｃｋ＿ｌｕｍｉｎａｎｃｅ＿ｌｅｖｅｌ）は、超高画質放送コンテンツを最適なディスプレイ環境で再生するために必要な勧奨ディスプレイ明るさ範囲のうち最小明るさを示すことができる。例えば、参照モニター（ｒｅｆｅｒｅｎｃｅ  ｍｏｎｉｔｏｒ）の場合、０．０５ｃｄ／ｍ^２を最小基準明るさと定めており、この場合、一般的な範囲を考慮して前記値に１００（１０進数）を掛けた値である「５」が伝送され得る。上述した最小基準明るさ情報は、超高画質放送コンテンツで表現された最小基準明るさを意味し得る。
【００５４】
最大基準明るさ情報（ｒｅｆｅｒｅｎｃｅ＿ｗｈｉｔｅ＿ｌｕｍｉｎａｎｃｅ＿ｌｅｖｅｌ）は、超高画質放送コンテンツを最適なディスプレイ環境で再生するために必要な勧奨ディスプレイ明るさ範囲のうち最大明るさを示すことができる。例えば、参照モニター（ｒｅｆｅｒｅｎｃｅ  ｍｏｎｉｔｏｒ）の場合、１００ｃｄ／ｍ^２を最大基準明るさと定めており、この場合、一般的な範囲を考慮して前記値を１００（１０進数）で割った値の割り前である「１」が伝送され得る。上述した最大基準明るさ情報は、超高画質放送コンテンツで表現された最大基準明るさを意味し得る。
【００５５】
ＥＯＴＦガンマ指数情報（ＥＯＴＦ＿ｇａｍｍａ）は、受信装置の再生部に示される明るさを計算するＥＯＴＦ（Ｅｌｅｃｔｒｏ  Ｏｐｔｉｃａｌ  Ｔｒａｎｓｆｅｒ  Ｆｕｎｃｔｉｏｎ）関数に使用されるガンマ（ｇａｍｍａ）指数を示す。例えば、ＩＴＵ―ＲＢＴ．１８８６標準を基準とする場合、スクリーンに示される明るさ（Ｌ，ｃｄ／ｍ^２）は下記のように示すことができる。下記の数式はＥＯＴＦ関数式と命名することができる。
【００５６】
【数１】
2016530780.tif 000003
【００５７】
前記数式において、「Ｌ」は、スクリーンに示される明るさを示し、「Ｌ＿Ｗ」は、基準明るさの最大に該当するデジタル値を示し、「Ｌ＿Ｂ」は、基準明るさの最小に該当するデジタル値を示し、「Ｖ」は、０と１との間の値に正規化されたビデオシグナルの値を示し、「ａ」はゲイン（ｇａｉｎ）を示し、「ｂ」はオフセット（ｏｆｆｓｅｔ）を示す。
【００５８】
【数２】
2016530780.tif 000004
【００５９】
【数３】
2016530780.tif 000005
【００６０】
前記「ａ、ｂ」に対する数式において、「Ｌ＿Ｂ」は、上述したＥＯＴＦ関数式で「Ｖ＝０」を代入したときに「Ｌ＝Ｌ＿Ｂ」になり、「Ｌ＿Ｗ」は、上述したＥＯＴＦ関数式で「Ｖ＝１」を代入したときに「Ｌ＝Ｌ＿Ｗ」になり得る。ＥＯＴＦガンマ指数情報（ＥＯＴＦ＿ｇａｍｍａ）は、ＥＯＴＦ曲線係数と命名することができる。
【００６１】
基準無彩色の色空間情報（ｒｅｆｅｒｅｎｃｅ＿ｗｈｉｔｅ＿ｃｏｌｏｒ＿ｔｅｍｐｅｒａｔｕｒｅ）は、既に設定された色温度による無彩色の色空間上の位置関連情報を示すことができる。上述した基準無彩色の色空間情報は、無彩色の色空間上の座標を推定できる情報を含むことができる。基準無彩色の色空間情報は色補正の基準になり得る。ここで、既に設定された色温度に対しては、後で詳細に説明することにする。
【００６２】
任意の無彩色の色空間情報（ｗｈｉｔｅ＿ｐｒｉｍａｒｙ＿ｘ、ｗｈｉｔｅ＿ｐｒｉｍａｒｙ＿ｙ）は、既に指定された基準色温度、すなわち、既に設定された色温度でない任意の色温度を指定する場合、任意の色温度による無彩色の色空間上の位置関連情報を示すことができる。上述した任意の無彩色の色空間情報は、無彩色の色空間上の座標を推定できる情報を含むことができる。任意の無彩色の色空間情報は、色温度指定フラグ情報のフィールド値が「１」である場合のみに使用することができる。任意の無彩色の色空間情報は、既に設定された色温度による無彩色の色空間上の座標と任意の色温度による無彩色の色空間上の座標との差値を示すことができる。
【００６３】
基準ガマット情報（ｃｏｌｏｒ＿ｇａｍｕｔ）は、超高画質放送コンテンツの色感を表現できる標準色空間を示す。基準ガマット情報は、ディスプレイの色相表現範囲及び／または基準色相（Ｒｅｄ、Ｇｒｅｅｎ、Ｂｌｕｅ）の色空間上の位置を示すことができる。
【００６４】
任意のガマット色空間座標情報（ｃｏｌｏｒ＿ｐｒｉｍａｒｙ＿ｒ＿ｘ、ｃｏｌｏｒ＿ｐｒｉｍａｒｙ＿ｒ＿ｙ、ｃｏｌｏｒ＿ｐｒｉｍａｒｙ＿ｇ＿ｘ、ｃｏｌｏｒ＿ｐｒｉｍａｒｙ＿ｇ＿ｙ、ｃｏｌｏｒ＿ｐｒｉｍａｒｙ＿ｂ＿ｘ、ｃｏｌｏｒ＿ｐｒｉｍａｒｙ＿ｂ＿ｙ）は、標準色空間でない任意の色空間を指定する場合、任意の色空間でのレッド、グリーン及びブルー色相のｘ、ｙ座標を示す。任意のガマット色空間座標情報は、受信装置のディスプレイが目標とするガマットを含むか否かを判断するために使用することができる。任意のガマット色空間座標情報は、０と１との間の値のうち２進化された絶対的な値で示すことができる。任意のガマット色空間座標情報は、標準色空間でのレッド、グリーン及びブルー色相のｘ、ｙ座標と任意の色空間でのレッド、グリーン及びブルー色相のｘ、ｙ座標との差値を示すことができる。任意のガマット色空間座標情報は、基準ガマット情報による標準色空間が超高画質放送コンテンツに適したディスプレイの色相表現範囲を十分に示すことができない場合、任意の色空間を定義する過程で使用することができる。
【００６５】
係数ナンバー情報（ｎｕｍｂｅｒ＿ｏｆ＿ｃｏｅｆｆ）は、標準色空間が超高画質放送コンテンツに適したディスプレイの色相表現範囲を十分に示すことができなく、任意の色空間を定義する場合、色空間変換のために使用される係数の個数を示す。すなわち、標準色空間を基準にして任意の色空間への変換がなされる場合、変換のために使用される係数の個数を示すことができる。
【００６６】
ガマットマッピング係数情報（ｇａｍｕｔ＿ｍａｐｐｉｎｇ＿ｃｏｅｆｆ［ｉ］）は、標準色空間を基準にして任意の色空間への変換がなされる場合、変換のために使用される係数を示す。例えば、下記のような変換式を用いて任意の色空間への変換を行うことができる。
【００６７】
【数４】
2016530780.tif 000006
【００６８】
このとき、色空間は、他の変換式を用いて変換することができる。
【００６９】
図４は、本発明の一実施例に係るＥＯＴＦ関数によって計算される最小基準明るさ及び最大基準明るさのデジタル値を示した図である。
【００７０】
当該図面に示したように、映像で表現される総ビット数が８ビットである場合、最小基準明るさのデジタル値は「１６」を示し、最大基準明るさのデジタル値は「２３５」を示す。映像で表現される総ビット数が１０ビットである場合、最小基準明るさのデジタル値は「６４」を示し、最大基準明るさのデジタル値は「９４０」を示す。映像で表現される総ビット数が１２ビットである場合、最小基準明るさのデジタル値は「２５６」を示し、最大基準明るさのデジタル値は「３７６０」を示す。
【００７１】
当該図面に示した最小基準明るさ及び最大基準明るさのデジタル値は、下記の数式によって導出することができる。
【００７２】
【数５】
2016530780.tif 000007
【００７３】
前記「Ｌ＿Ｂ」に対する数式は、上述したＥＯＴＦ関数式で「Ｖ＝０」を代入し、前記「Ｌ＿Ｗ」に対する数式は、上述したＥＯＴＦ関数式で「Ｖ＝１」を代入して導出された数式である。前記数式において、「Ｌ＿Ｗ」は、基準明るさの最大に該当するデジタル値を示し、「Ｌ＿Ｂ」は、基準明るさの最小に該当するデジタル値を示し、「Ｖ」は、０と１との間の値に正規化されたビデオシグナルの値を示し、「ａ」はゲイン（ｇａｉｎ）を示し、「ｂ」はオフセット（ｏｆｆｓｅｔ）を示す。
【００７４】
図５は、本発明の一実施例に係るＣＩＥ  １９３１標準色空間で指定された各色温度によるホワイト色相の座標を示した図である。
【００７５】
当該図面に示したように、既に設定された色温度がＤ６５である場合、ＣＩＥ  １９３１標準色空間でのホワイト色相のｘ、ｙ座標は０．３１２７、０．３２９０を示すことができ、このとき、ビットストリームは００００を示すことができる。既に設定された色温度が９３００Ｋである場合、ＣＩＥ  １９３１標準色空間でのホワイト色相のｘ、ｙ座標は０．２８３１、０．２９７１を示すことができ、このとき、ビットストリームは０００１を示すことができる。ビットストリーム００１０〜１０００は予約済みの（ｒｅｓｅｒｖｅｄ）値であることを示すことができ、ビットストリーム１００１〜１１１１はユーザ値（Ｕｓｅｒ  ｐｒｉｖａｔｅ）であることを示すことができる。
【００７６】
図６は、本発明の一実施例に係る基準ガマット情報（ｃｏｌｏｒ＿ｇａｍｕｔ）によって定義される標準色空間を示した図である。
【００７７】
ビットストリームが００００である場合、標準色空間はＢＴ．７０９であることを示し、０００１である場合、標準色空間はＤＣＩ―Ｐ３であることを示し、００１０である場合、標準色空間はＢＴ．２０２０であることを示す。ビットストリーム００１１〜１０００は予約済みの（ｒｅｓｅｒｖｅｄ）値であることを示し、１００１〜１１１１はユーザ値（Ｕｓｅｒ  ｐｒｉｖａｔｅ）であることを示す。
【００７８】
図７は、本発明の一実施例に係るＥＩＴ（Ｅｖｅｎｔ  Ｉｎｆｏｒｍａｔｉｏｎ  Ｔａｂｌｅ）を示した図である。
【００７９】
本発明の一実施例に係るＥＩＴ（Ｅｖｅｎｔ  Ｉｎｆｏｒｍａｔｉｏｎ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｓｏｕｒｃｅ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｌ＿ｖｅｒｓｉｏｎフィールド、ｎｕｍ＿ｅｖｅｎｔｓ＿ｉｎ＿ｓｅｃｔｉｏｎフィールド、ｅｖｅｎｔ＿ｉｄフィールド、ｓｔａｒｔ＿ｔｉｍｅフィールド、ＥＴＭ＿ｌｏｃａｔｉｏｎフィールド、ｌｅｎｇｔｈ＿ｉｎ＿ｓｅｃｏｎｄｓフィールド、ｔｉｔｌｅ＿ｌｅｎｇｔｈフィールド、ｔｉｔｌｅ＿ｔｅｘｔ（）フィールド、ｄｅｓｃｒｉｐｔｏｒｓ＿ｌｅｎｇｔｈフィールド、ｄｅｓｃｒｉｐｔｏｒ（）フィールド及び／またはＣＲＣ＿３２フィールドを含むことができる。
【００８０】
ｔａｂｌｅ＿ｉｄフィールドは、当該テーブルがＥＩＴ（Ｅｖｅｎｔ  Ｉｎｆｏｒｍａｔｉｏｎ  Ｔａｂｌｅ）であることを識別する。
【００８１】
ｓｅｃｔｉｏｎ＿ｓｙｎｔａｘ＿ｉｎｄｉｃａｔｏｒフィールドは、ＭＰＥＧ―２  ｐｒｉｖａｔｅ＿ｓｅｃｔｉｏｎｔａｂｌｅのロング（ｌｏｎｇ）形態を示すために１にセッティングされる１ビットフィールドである。
【００８２】
ｐｒｉｖａｔｅ＿ｉｎｄｉｃａｔｏｒフィールドは、１にセッティングされる１ビットフィールドである。
【００８３】
ｓｅｃｔｉｏｎ＿ｌｅｎｇｔｈフィールドは、このフィールドの後にあるテーブルセクションの長さをバイト数で示す。
【００８４】
ｓｏｕｒｃｅ＿ｉｄフィールドは、該当のセクションで記述されるイベントを伝送する仮想チャンネルのソースアイディー（ｓｏｕｒｃｅ  ｉｄ）を示す。
【００８５】
ｖｅｒｓｉｏｎ＿ｎｕｍｂｅｒフィールドは、テーブルのバージョン番号を示す５ビットフィールドである。
【００８６】
ｃｕｒｒｅｎｔ＿ｎｅｘｔ＿ｉｎｄｉｃａｔｏｒフィールドは、１ビットフィールドであって、このテーブルが現在適用可能であるか、それとも次に適用可能であるかを示す。
【００８７】
ｓｅｃｔｉｏｎ＿ｎｕｍｂｅｒフィールドは、セクションの番号を示す。
【００８８】
ｌａｓｔ＿ｓｅｃｔｉｏｎ＿ｎｕｍｂｅｒフィールドは、最後のセクションの番号を識別する。
【００８９】
ｐｒｏｔｏｃｏｐ＿ｖｅｒｓｉｏｎフィールドは、現在のプロトコルで定義されたパラメーターと異なるパラメーターを伝送する現在のテーブルタイプを後で許容するための機能を有するフィールドである。
【００９０】
ｎｕｍ＿ｅｖｅｎｔｓ＿ｉｎ＿ｓｅｃｔｉｏｎフィールドは、該当のテーブルセクションに含まれたイベントの個数を示す。
【００９１】
ｅｖｅｎｔ＿ｉｄフィールドは、記述されたイベントを示す特定の数字を識別する。ここで、特定の数字は、イベントＥＴＭ＿ｉｄの一部分としての役割をすることができる。
【００９２】
ｓｔａｒｔ＿ｔｉｍｅフィールドは、該当のイベントの開始時間をＧＰＳセカンドを基準にして示す。仮想チャンネルでイベントの開始時間を示す値は、放映中のイベントの終了時間を示す値より大きくなり得る。イベントの終了時間は、イベントの開始時間とイベントの長さを時間として示した値との和と定義することができる。
【００９３】
ＥＴＭ＿ｌｏｃａｔｉｏｎフィールドは、チャンネル、イベントまたはデータイベントのための拡張されたテキストメッセージの存在有無を示す。
【００９４】
ｌｅｎｇｔｈ＿ｉｎ＿ｓｅｃｏｎｄｓフィールドは、イベントの持続時間を秒単位で示す。
【００９５】
ｔｉｔｌｅ＿ｌｅｎｇｔｈフィールドは、タイトルテキスト（ｔｉｔｌｅ＿ｔｅｘｔ）の長さを示す。該当のフィールドの値が０であると、該当のイベントにタイトルがないことを示す。
【００９６】
ｔｉｔｌｅ＿ｔｅｘｔ（）フィールドは、イベントの題目（ｔｉｔｌｅ）をマルチプルストリング構造（ｍｕｌｔｉｐｌｅ  ｓｔｒｉｎｇ  ｓｔｒｕｃｔｕｒｅ）の形式で示す。
【００９７】
ｄｅｓｃｒｉｐｔｏｒｓ＿ｌｅｎｇｔｈフィールドは、後に続いて記述されるイベントディスクリプタ（ｄｅｓｃｒｉｐｔｏｒ（））の全体の長さを示す。
【００９８】
ｄｅｓｃｒｉｐｔｏｒ（）は、テーブル内に位置するディスクリプタループ（ｄｅｓｃｒｉｐｔｏｒ  ｌｏｏｐ）である。ディスクリプタループ（ｄｅｓｃｒｉｐｔｏｒ  ｌｏｏｐ）は、追加的なディスクリプタを含むことができる。ＥＩＴ内には０個以上のディスクリプタを含ませることができ、当該ディスクリプタは、各イベントに適用される情報を記述するイベントレベルディスクリプタ（ｅｖｅｎｔ  ｌｅｖｅｌ  ｄｅｓｃｒｉｐｔｏｒ）に該当し得る。本発明の一実施例に係るディスプレイ情報メタデータは、イベントレベルディスクリプタに含まれて伝送され得る。本発明の一実施例に係るディスプレイ情報メタデータがＥＩＴのイベントレベルディスクリプタに含まれて伝送される場合、受信装置は、イベントレベル（ｅｖｅｎｔ  ｌｅｖｅｌ）でコンテンツの色感向上のためのメタデータが含まれているか否かを確認することができ、受信装置で該当のコンテンツを収容できるか否かを判断することができる。ディスプレイ情報メタデータを含むディスクリプタを色感調整情報ディスクリプタと命名することができ、これに対しては後で詳細に説明することにする。ディスプレイ情報メタデータが含まれている超高画質放送サービスを識別する超高画質プログラム情報ディスクリプタがＥＩＴに含まれて伝送され得る。これに対しては後で説明することにする。
【００９９】
ＣＲＣ＿３２フィールドは、データの無欠性をチェックできるＣＲＣ値を含む。ＣＲＣ値は、全体のＥＩＴセクションが処理された後、Ａｎｎｅｘ  Ａ  ｏｆ  ＩＳＯ―１３８１８―１  “ＭＰＥＧ―２  Ｓｙｓｔｅｍｓ”［１３］に定義されているデコーダー内のレジスタから０値が出力されることを保証することができる。
【０１００】
図８は、本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））を示した図である。
【０１０１】
本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））は、ｄｅｓｃｒｉｐｔｏｒ＿ｔａｇフィールド、ｄｅｓｃｒｉｐｔｏｒ＿ｌｅｎｇｔｈフィールド、ｎｕｍｂｅｒ＿ｏｆ＿ｃｏｌｏｒ＿ｉｎｆｏフィールド及び／またはｃｏｌｏｒ＿ｍａｎａｇｅｍｅｎｔ＿ｍｅｔａｄａｔａ（）フィールドを含むことができる。
【０１０２】
ｄｅｓｃｒｉｐｔｏｒ＿ｔａｇフィールドは、当該ディスクリプタが色感調整情報ディスクリプタであることを識別する。
【０１０３】
ｄｅｓｃｒｉｐｔｏｒ＿ｌｅｎｇｔｈフィールドは、当該ディスクリプタの長さを示す。
【０１０４】
ｎｕｍｂｅｒ＿ｏｆ＿ｃｏｌｏｒ＿ｉｎｆｏフィールドは、当該ディスクリプタに含まれたディスプレイ情報メタデータの個数を示す。一つのイベントに対して複数の色相向上モードが存在する場合、複数のディスプレイ情報メタデータが存在し得る。
【０１０５】
ｃｏｌｏｒ＿ｍａｎａｇｅｍｅｎｔ＿ｍｅｔａｄａｔａ（）フィールドは、超高画質放送コンテンツに適したディスプレイ環境情報を示す。当該フィールドは、ディスプレイ情報メタデータと命名することができ、これに対しては後で詳細に説明することにする。
【０１０６】
図９は、本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））に含まれたディスプレイ情報メタデータ（ｃｏｌｏｒ＿ｍａｎａｇｅｍｅｎｔ＿ｍｅｔａｄａｔａ（））を示した図である。
【０１０７】
本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））は、ガマット指定フラグ情報（ｇａｍｕｔ＿ｍａｐｐｉｎｇ＿ｆｌａｇ）、最小基準明るさ情報（ｒｅｆｅｒｅｎｃｅ＿ｂｌａｃｋ＿ｌｕｍｉｎａｎｃｅ＿ｌｅｖｅｌ）、最大基準明るさ情報（ｒｅｆｅｒｅｎｃｅ＿ｗｈｉｔｅ＿ｌｕｍｉｎａｎｃｅ＿ｌｅｖｅｌ）、基準ガマット情報（ｃｏｌｏｒ＿ｇａｍｕｔ）及び／または任意のガマット色空間座標情報（ｃｏｌｏｒ＿ｐｒｉｍａｒｙ＿ｒ＿ｘ、ｃｏｌｏｒ＿ｐｒｉｍａｒｙ＿ｒ＿ｙ、ｃｏｌｏｒ＿ｐｒｉｍａｒｙ＿ｇ＿ｘ、ｃｏｌｏｒ＿ｐｒｉｍａｒｙ＿ｇ＿ｙ、ｃｏｌｏｒ＿ｐｒｉｍａｒｙ＿ｂ＿ｘ、ｃｏｌｏｒ＿ｐｒｉｍａｒｙ＿ｂ＿ｙ）を含むことができる。
【０１０８】
本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））は、色温度指定フラグ情報（ｗｈｉｔｅ＿ａｄｊｕｓｔｍｅｎｔ＿ｆｌａｇ）、ＥＯＴＦガンマ指数情報（ＥＯＴＦ＿ｇａｍｍａ）、基準無彩色の色空間情報（ｒｅｆｅｒｅｎｃｅ＿ｗｈｉｔｅ＿ｃｏｌｏｒ＿ｔｅｍｐｅｒａｔｕｒｅ）、任意の無彩色の色空間情報（ｗｈｉｔｅ＿ｐｒｉｍａｒｙ＿ｘ、ｗｈｉｔｅ＿ｐｒｉｍａｒｙ＿ｙ）、係数ナンバー情報（ｎｕｍｂｅｒ＿ｏｆ＿ｃｏｅｆｆ）及び／またはガマットマッピング係数情報（ｇａｍｕｔ＿ｍａｐｐｉｎｇ＿ｃｏｅｆｆ［ｉ］）をさらに含むことができる。
【０１０９】
本発明の一実施例に係る色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））に含まれた各情報に対する詳細な説明は、上述したＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）に含まれて伝送されるディスプレイ情報メタデータ（ｃｏｌｏｒ＿ｍａｎａｇｅｍｅｎｔ＿ｉｎｆｏ（ｐａｙｌｏａｄＳｉｚｅ））部分に対する説明を参照することにする。
【０１１０】
本発明の一実施例によると、一つのイベントに対して複数のディスプレイ情報メタデータが存在し得る。すなわち、一つの超高画質放送コンテンツに一貫してディスプレイ情報メタデータが適用されるのではなく、時間または挿入されたコンテンツの有無などによってディスプレイ情報メタデータが個別的に適用され得る。この場合、本発明の一実施例に係る超高画質放送信号受信装置のディスプレイで超高画質放送コンテンツが収容可能であるか否かを判断する必要がある。このために、本発明の一実施例によると、送信側は、超高画質放送コンテンツの明るさ範囲情報及び色空間に対する情報をシグナリングすることができ、追加色感向上が存在する場合（ｇａｍｕｔ＿ｍａｐｐｉｎｇ＿ｆｌａｇ＝＝１）、任意のガマット色空間座標情報が伝送されることによって、該当のコンテンツが受信装置のディスプレイの物理的表現範囲内で具現可能であるか否かを判断することができる。
【０１１１】
図１０は、本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））を示した図である。
【０１１２】
本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））は、ｄｅｓｃｒｉｐｔｏｒ＿ｔａｇフィールド、ｄｅｓｃｒｉｐｔｏｒ＿ｌｅｎｇｔｈフィールド及び／またはＵＨＤ＿ｓｅｒｖｉｃｅ＿ｔｙｐｅフィールドを含むことができる。
【０１１３】
ｄｅｓｃｒｉｐｔｏｒ＿ｔａｇフィールドは、当該ディスクリプタが明るさ範囲変換情報ディスクリプタであることを識別する。
【０１１４】
ｄｅｓｃｒｉｐｔｏｒ＿ｌｅｎｇｔｈフィールドは、当該ディスクリプタの長さを示す。
【０１１５】
ＵＨＤ＿ｓｅｒｖｉｃｅ＿ｔｙｐｅフィールドは、超高画質サービス（ＵＨＤ  ｓｅｒｖｉｃｅ）の種類に対する情報を提供することによって多様な超高画質サービスを提供することができる。例えば、超高画質サービスの種類には、ＵＨＤ１（４Ｋ）及びＵＨＤ２（８Ｋ）があり得る。また、超高画質サービスの種類は、画質（ｑｕａｉｌｉｔｙ）によって区分することができ、ユーザによって任意に指定することができる。
【０１１６】
本発明の一実施例に係る超高画質プログラム情報ディスクリプタは、ディスプレイ情報メタデータが含まれている超高画質放送サービスを識別することができる。
【０１１７】
図１１は、本発明の一実施例に係る超高画質プログラム情報ディスクリプタ（ＵＨＤ＿ｐｒｏｇｒａｍ＿ｉｎｆｏ＿ｄｅｓｃｒｉｐｔｏｒ（））に含まれたＵＨＤ＿ｓｅｒｖｉｃｅ＿ｔｙｐｅフィールドを示した図である。
【０１１８】
本発明の一実施例に係るＵＨＤ＿ｓｅｒｖｉｃｅ＿ｔｙｐｅのフィールド値が００００であるとＵＨＤ１サービスであることを示し、０００１であるとＵＨＤ２サービスであることを示し、１０００〜１１１１であると、ユーザによって指定された特定のサービスであることを示すことができる。
【０１１９】
例えば、ユーザは、ＵＨＤ＿ｓｅｒｖｉｃｅ＿ｔｙｐｅを１００１（ｃｏｌｏｒ  ｅｎｈａｎｃｅｄ  ＵＨＤ１（４Ｋ）  ｓｅｒｖｉｃｅ）と指定し、色感向上（ｃｏｌｏｒ  ｅｎｈａｎｃｅｍｅｎｔ）が使用されることを示すことができる。この場合、受信装置は、該当のサービスが、上述したディスプレイ情報メタデータが含まれている超高画質放送サービスであることが分かる。
【０１２０】
本発明の一実施例によると、ＵＨＤ＿ｓｅｒｖｉｃｅ＿ｔｙｐｅを１００１（ｃｌｏｒ  ｅｎｈａｎｃｅｄ  ＵＨＤ１（４Ｋ）  ｓｅｒｖｉｃｅ）と指定し、メタデータを用いてディスプレイ環境の調整が可能であることを示すことができる。ＵＨＤ＿ｓｅｒｖｉｃｅ＿ｔｙｐｅが００００（ＵＨＤ１  ｓｅｒｖｉｃｅ）である場合、ＥＩＴ内への色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））の存在有無を確認することによって、メタデータを用いて受信装置のディスプレイ環境を調整することが可能であるか否かを判断することができる。
【０１２１】
本発明の一実施例によると、色感調整情報ディスクリプタ（ＵＨＤ＿ｃｏｌｏｒ＿ｍａｎａｇｅｍｅｎｔ＿ｉｎｆｏ＿ｄｅｓｃｒｉｐｔｏｒ（））を用いてコンテンツ供給者が望むディスプレイ環境が視聴者のディスプレイで表現可能であるか否かを判断することができる。これを用いて、現在または未来の時点に再生されるコンテンツに対してもディスプレイ情報メタデータの使用有無を予め判断することができ、予約録画などの状況のために受信機を予めセッティングすることができる。
【０１２２】
図１２は、本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）を示した図である。
【０１２３】
本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）は、ｔａｂｌｅ＿ｉｄフィールド、ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｔｒａｎｓｐｏｒｔ＿ｓｔｒｅａｍ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｐ＿ｖｅｒｓｉｏｎフィールド、ｎｕｍ＿ｃｈａｎｎｅｌｓ＿ｉｎ＿ｓｅｃｔｉｏｎフィールド、ｓｈｏｒｔ＿ｎａｍｅフィールド、ｍａｊｏｒ＿ｃｈａｎｎｅｌ＿ｎｕｍｂｅｒフィールド、ｍｉｎｏｒ＿ｃｈａｎｎｅｌ＿ｎｕｍｂｅｒフィールド、モジュレーションモード（ｍｏｄｕｌａｔｉｏｎ  ｍｏｄｅ）フィールド、ｃａｒｒｉｅｒ＿ｆｒｅｑｕｅｎｃｙフィールド、ｃｈａｎｎｅｌ＿ＴＳＩＤフィールド、ｐｒｏｇｒａｍ＿ｎｕｍｂｅｒフィールド、ＥＴＭ＿ｌｏｃａｔｉｏｎフィールド、ａｃｃｅｓｓ＿ｃｏｎｔｒｏｌｌｅｄフィールド、非表示（ｈｉｄｄｅｎ）フィールド、ｈｉｄｅ＿ｇｕｉｄｅフィールド、ｓｅｒｖｉｃｅ＿ｔｙｐｅフィールド、ｓｏｕｒｃｅ＿ｉｄフィールド、ｄｅｓｃｒｉｐｔｏｒｓ＿ｌｅｎｇｔｈフィールド及び／またはｄｅｓｃｒｉｐｔｏｒ（）を含むことができる。
【０１２４】
ｔａｂｌｅ＿ｉｄフィールドはテーブルを識別する。図９に示したテーブルはＴＶＣＴであるので、ｔａｂｌｅ＿ｉｄの値は０ｘ０８である。
【０１２５】
ｓｅｃｔｉｏｎ＿ｓｙｎｔａｘ＿ｉｎｄｉｃａｔｏｒフィールドは、ＭＰＥＧ―２  ｐｒｉｖａｔｅ＿ｓｅｃｔｉｏｎ  ｔａｂｌｅのロング（ｌｏｎｇ）形態を示すために１にセッティングされる１ビットフィールドである。（Ｔｈｉｓ  １―ｂｉｔ  ｆｉｅｌｄ  ｓｈａｌｌ  ｂｅ  ｓｅｔ  ｔｏ  ‘１’  ｔｏ  ａｌｗａｙｓ  ｉｎｄｉｃａｔｅ  ｔｈｅ  “ｌｏｎｇ”  ｆｏｒｍ  ｏｆ  ｔｈｅ  ＭＰＥＧ―２  ｐｒｉｖａｔｅ＿ｓｅｃｔｉｏｎ  ｔａｂｌｅ．）
【０１２６】
ｐｒｉｖａｔｅ＿ｉｎｄｉｃａｔｏｒフィールドは、１にセッティングされる１ビットフィールドである。（Ｔｈｉｓ  １―ｂｉｔ  ｆｉｅｌｄ  ｓｈａｌｌ  ｂｅ  ｓｅｔ  ｔｏ  ‘１’．）
【０１２７】
ｓｅｃｔｉｏｎ＿ｌｅｎｇｔｈフィールドは、このフィールドの後にあるテーブルセクションの長さをバイト数で示す。（Ｔｈｉｓ  ｉｓ  ａ  １２―ｂｉｔ  ｆｉｅｌｄ，ｔｈｅ  ｆｉｒｓｔ  ｔｗｏ  ｂｉｔｓ  ｏｆ  ｗｈｉｃｈ  ｓｈａｌｌ  ｂｅ  “００”．Ｉｔ  ｓｐｅｃｉｆｉｅｓ  ｔｈｅ  ｎｕｍｂｅｒ  ｏｆ  ｂｙｔｅｓ  ｏｆ  ｔｈｅ  ｓｅｃｔｉｏｎ，ｓｔａｒｔｉｎｇ  ｉｍｍｅｄｉａｔｅｌｙ  ｆｏｌｌｏｗｉｎｇ  ｔｈｅ  ｓｅｃｔｉｏｎ＿ｌｅｎｇｔｈ  ｆｉｅｌｄ  ａｎｄ  ｉｎｃｌｕｄｉｎｇ  ｔｈｅ  ＣＲＣ．Ｔｈｅ  ｓｅｃｔｉｏｎ＿ｌｅｎｇｔｈ  ｓｈａｌｌ  ｎｏｔ  ｅｘｃｅｅｄ  １０２１  ｓｏ  ｔｈａｔ  ｔｈｅ  ｅｎｔｉｒｅ  ｓｅｃｔｉｏｎ  ｈａｓ  ａ  ｍａｘｉｍｕｍ  ｌｅｎｇｔｈ  ｏｆ  １０２４  ｂｙｔｅｓ．）
【０１２８】
ｔｒａｎｓｐｏｒｔ＿ｓｔｒｅａｍ＿ｉｄフィールドは、テーブル内にあるＭＰＥＧ―２伝送ストリーム（Ｔｒａｎｓｐｏｒｔ  Ｓｔｒｅｍ：ＴＳ）の識別子を示す。（Ｔｏ  ｄｉｓｔｉｎｇｕｉｓｈ  ｅａｃｈ  ｔｒａｎｓｐｏｒｔ  ｓｔｒｅａｍ  ｗｉｔｈｉｎ  ａ  ｓｉｎｇｌｅ  ｎｅｔｗｏｒｋ（ｔｅｒｒｅｓｔｒｉａｌ，ｃａｂｌｅ  ｏｒ  ｓａｔｅｌｌｉｔｅ）  ｆｒｏｍ  ａｎｏｔｈｅｒ，ＭＰＥＧ―２  ｅｓｔａｂｌｉｓｈｅｄ  ｔｈｅ  ｕｓｅ  ｏｆ  ａ  １６―ｂｉｔ（ｒａｎｇｉｎｇ  ｆｒｏｍ  ０  ｔｏ  ６５５３５）  ｔｒａｎｓｐｏｒｔ＿ｓｔｒｅａｍ＿ｉｄｅｎｔｉｆｉｅｒ，ｗｈｉｃｈ  ｉｓ  ａｌｓｏ  ｃａｌｌｅｄ  ａ  ＴＳＩＤ．）
【０１２９】
ｖｅｒｓｉｏｎ＿ｎｕｍｂｅｒフィールドは、テーブルのバージョン番号を示す５ビットフィールドである。（Ｔｈｉｓ  ５―ｂｉｔ  ｆｉｅｌｄ  ｉｓ  ｔｈｅ  ｖｅｒｓｉｏｎ  ｎｕｍｂｅｒ  ｏｆ  ｔｈｅ  ＰＳＩＰ＿ｓｅｃｔｉｏｎ．Ｔｈｅ  ｖｅｒｓｉｏｎ＿ｎｕｍｂｅｒ  ｓｈａｌｌ  ｂｅ  ｉｎｃｒｅｍｅｎｔｅｄ  ｂｙ  １  ｍｏｄｕｌｏ  ３２  ｗｈｅｎ  ａ  ｃｈａｎｇｅ  ｉｎ  ｔｈｅ  ｉｎｆｏｒｍａｔｉｏｎ  ｃａｒｒｉｅｄ  ｗｉｔｈｉｎ  ｔｈｅ  ＰＳＩＰ＿ｓｅｃｔｉｏｎ  ｏｃｃｕｒｓ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  ‘０’，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｎｅｘｔ  ａｐｐｌｉｃａｂｌｅ  ＰＳＩＰ＿ｓｅｃｔｉｏｎ  ｗｉｔｈ  ｔｈｅ  ｓａｍｅ  ｔａｂｌｅ＿ｉｄ，ｔａｂｌｅ＿ｉｄ＿ｅｘｔｅｎｓｉｏｎ，ａｎｄ  ｓｅｃｔｉｏｎ＿ｎｕｍｂｅｒ．）
【０１３０】
ｃｕｒｒｅｎｔ＿ｎｅｘｔ＿ｉｎｄｉｃａｔｏｒフィールドは、１ビットフィールドであって、このテーブルが現在適用可能であるか、それとも次に適用可能であるかを示す。（Ａ  １―ｂｉｔ  ｆｉｅｌｄ，ｗｈｉｃｈ  ｗｈｅｎ  ｓｅｔ  ｔｏ  ‘１’  ｉｎｄｉｃａｔｅｓ  ｔｈａｔ  ｔｈｅ  ＰＳＩＰ＿ｓｅｃｔｉｏｎ  ｓｅｎｔ  ｉｓ  ｃｕｒｒｅｎｔｌｙ  ａｐｐｌｉｃａｂｌｅ．Ｗｈｅｎ  ｔｈｅ  ｃｕｒｒｅｎｔ＿ｎｅｘｔ＿ｉｎｄｉｃａｔｏｒ  ｉｓ  ｓｅｔ  ｔｏ  ‘１’，ｔｈｅｎ  ｔｈｅ  ｖｅｒｓｉｏｎ＿ｎｕｍｂｅｒ  ｓｈａｌｌ  ｂｅ  ｔｈａｔ  ｏｆ  ｔｈｅ  ｃｕｒｒｅｎｔｌｙ  ａｐｐｌｉｃａｂｌｅ  ＰＳＩＰ＿ｓｅｃｔｉｏｎ．Ｗｈｅｎ  ｔｈｅ  ｂｉｔ  ｉｓ  ｓｅｔ  ｔｏ  ‘０’，ｉｔ  ｉｎｄｉｃａｔｅｓ  ｔｈａｔ  ｔｈｅ  ＰＳＩＰ＿ｓｅｃｔｉｏｎ  ｓｅｎｔ  ｉｓ  ｎｏｔ  ｙｅｔ  ａｐｐｌｉｃａｂｌｅ  ａｎｄ  ｓｈａｌｌ  ｂｅ  ｔｈｅ  ｎｅｘｔ  ＰＳＩＰ＿ｓｅｃｔｉｏｎ  ｗｉｔｈ  ｔｈｅ  ｓａｍｅ  ｓｅｃｔｉｏｎ＿ｎｕｍｂｅｒ，ｔａｂｌｅ＿ｉｄ＿ｅｘｔｅｎｓｉｏｎ，ａｎｄ  ｔａｂｌｅ＿ｉｄ  ｔｏ  ｂｅｃｏｍｅ  ｖａｌｉｄ．）
【０１３１】
ｓｅｃｔｉｏｎ＿ｎｕｍｂｅｒフィールドは、セクションの番号を示す。（Ｔｈｉｓ  ８―ｂｉｔ  ｆｉｅｌｄ  ｇｉｖｅｓ  ｔｈｅ  ｎｕｍｂｅｒ  ｏｆ  ｔｈｅ  ＰＳＩＰ＿ｓｅｃｔｉｏｎ．Ｔｈｅ  ｓｅｃｔｉｏｎ＿ｎｕｍｂｅｒ  ｏｆ  ｔｈｅ  ｆｉｒｓｔ  ｓｅｃｔｉｏｎ  ｉｎ  ａ  ＰＳＩＰ  ｔａｂｌｅ  ｓｈａｌｌ  ｂｅ  ０ｘ００．Ｔｈｅ  ｓｅｃｔｉｏｎ＿ｎｕｍｂｅｒ  ｓｈａｌｌ  ｂｅ  ｉｎｃｒｅｍｅｎｔｅｄ  ｂｙ  １  ｗｉｔｈ  ｅａｃｈ  ａｄｄｉｔｉｏｎａｌ  ｓｅｃｔｉｏｎ  ｉｎ  ＰＳＩＰ  ｔａｂｌｅ．Ｔｈｅ  ｓｃｏｐｅ  ｏｆ  ｔｈｅ  ｓｅｃｔｉｏｎ＿ｎｕｍｂｅｒ  ｓｈａｌｌ  ｂｅ  ｄｅｆｉｎｅｄ  ｂｙ  ｔｈｅ  ｔａｂｌｅ＿ｉｄ  ａｎｄ  ｔａｂｌｅ＿ｉｄ＿ｅｘｔｅｎｓｉｏｎ．Ｔｈａｔ  ｉｓ，ｆｏｒ  ｅａｃｈ  ＰＳＩＰ  ｔａｂｌｅ  ａｎｄ  ｖａｌｕｅ  ｏｆ  ｔｈｅ  ｔａｂｌｅ＿ｉｄ＿ｅｘｔｅｎｓｉｏｎ  ｆｉｅｌｄ，ｔｈｅｒｅ  ｉｓ  ｔｈｅ  ｐｏｔｅｎｔｉａｌ  ｆｏｒ  ｔｈｅ  ｆｕｌｌ  ｒａｎｇｅ  ｏｆ  ｓｅｃｔｉｏｎ＿ｎｕｍｂｅｒ  ｖａｌｕｅｓ．）
【０１３２】
ｌａｓｔ＿ｓｅｃｔｉｏｎ＿ｎｕｍｂｅｒフィールドは、最後のセクションの番号を識別する。（Ｔｈｉｓ  ８―ｂｉｔ  ｆｉｅｌｄ  ｓｐｅｃｉｆｉｅｓ  ｔｈｅ  ｎｕｍｂｅｒ  ｏｆ  ｔｈｅ  ｌａｓｔ  ｓｅｃｔｉｏｎ（ｔｈａｔ  ｉｓ，ｔｈｅ  ｓｅｃｔｉｏｎ  ｗｉｔｈ  ｔｈｅ  ｈｉｇｈｅｓｔ  ｓｅｃｔｉｏｎ＿ｎｕｍｂｅｒ）  ｏｆ  ｔｈｅ  ＰＳＩＰ  ｔａｂｌｅ  ｏｆ  ｗｈｉｃｈ  ｔｈｉｓ  ｓｅｃｔｉｏｎ  ｉｓ  ａ  ｐａｒｔ．Ｉｔｓ  ｓｃｏｐｅ  ｉｓ  ｔｈｅ  ｓａｍｅ  ａｓ  ｆｏｒ  ｔｈｅ  ｓｅｃｔｉｏｎ＿ｎｕｍｂｅｒ  ｆｉｅｌｄ．）
【０１３３】
ｐｒｏｔｏｃｏｐ＿ｖｅｒｓｉｏｎフィールドは、現在のプロトコルで定義されたパラメーターと異なるパラメーターを伝送する現在のテーブルタイプを後で許容するための機能を有するフィールドである。（Ａｎ  ８―ｂｉｔ  ｕｎｓｉｇｎｅｄ  ｉｎｔｅｇｅｒ  ｆｉｅｌｄ  ｗｈｏｓｅ  ｆｕｎｃｔｉｏｎ  ｉｓ  ｔｏ  ａｌｌｏｗ，ｉｎ  ｔｈｅ  ｆｕｔｕｒｅ，ｔｈｉｓ  ｔａｂｌｅ  ｔｙｐｅ  ｔｏ  ｃａｒｒｙ  ｐａｒａｍｅｔｅｒｓ  ｔｈａｔ  ｍａｙ  ｂｅ  ｓｔｒｕｃｔｕｒｅｄ  ｄｉｆｆｅｒｅｎｔｌｙ  ｔｈａｎ  ｔｈｏｓｅ  ｄｅｆｉｎｅｄ  ｉｎ  ｔｈｅ  ｃｕｒｒｅｎｔ  ｐｒｏｔｏｃｏｌ．Ａｔ  ｐｒｅｓｅｎｔ，ｔｈｅ  ｏｎｌｙ  ｖａｌｉｄ  ｖａｌｕｅ  ｆｏｒ  ｐｒｏｔｏｃｏｌ＿ｖｅｒｓｉｏｎ  ｉｓ  ｚｅｒｏ．Ｎｏｎ―ｚｅｒｏ  ｖａｌｕｅｓ  ｏｆ  ｐｒｏｔｏｃｏｌ＿ｖｅｒｓｉｏｎ  ｍａｙ  ｂｅ  ｕｓｅｄ  ｂｙ  ａ  ｆｕｔｕｒｅ  ｖｅｒｓｉｏｎ  ｏｆ  ｔｈｉｓ  ｓｔａｎｄａｒｄ  ｔｏ  ｉｎｄｉｃａｔｅ  ｓｔｒｕｃｔｕｒａｌｌｙ  ｄｉｆｆｅｒｅｎｔ  ｔａｂｌｅｓ．）
【０１３４】
ｎｕｍ＿ｃｈａｎｎｅｌｓ＿ｉｎ＿ｓｅｃｔｉｏｎフィールドは、仮想チャンネル解像度の個数を示す。（Ｔｈｅ  ｎｕｍ＿ｃｈａｎｎｅｌｓ＿ｉｎ＿ｓｅｃｔｉｏｎ  ｆｉｅｌｄ  ｉｎ  ＡＴＳＣ  Ｃａｂｌｅ  Ｖｉｒｔｕａｌ  Ｃｈａｎｎｅｌ  ｔａｂｌｅ  ＣＶＣＴ  ｔａｂｌｅ  ｓｅｃｔｉｏｎｓ  ｉｓ  ａｎ  ｅｉｇｈｔ―ｂｉｔ  ｆｉｅｌｄ  ｔｈａｔ  ｉｎｄｉｃａｔｅｓ  ｔｈｅ  ｎｕｍｂｅｒ  ｏｆ  ｖｉｒｔｕａｌ  ｃｈａｎｎｅｌ  ｄｅｆｉｎｉｔｉｏｎｓ  ｔｏ  ｆｏｌｌｏｗ  ｉｎ  ｔｈｅ  ｔａｂｌｅ  ｓｅｃｔｉｏｎ．）
【０１３５】
ｓｈｏｒｔ＿ｎａｍｅフィールドは、仮想チャンネルのためのショートネーム（ｓｈｏｒｔ  ｎａｍｅ）を示す１１２ビットフィールドである。（Ｔｈｅ  ｓｈｏｒｔ＿ｎａｍｅ  ｆｉｅｌｄ  ｉｓ  ａ  １１２―ｂｉｔ  ｆｉｅｌｄ  ｉｎ  ＡＴＳＣ  ＣＶＣＴ  ｔａｂｌｅ  ｓｅｃｔｉｏｎｓ  ｔｈａｔ  ｇｉｖｅｓ  ｔｈｅ  ｓｈｏｒｔ＿ｎａｍｅ  ｆｏｒ  ｔｈｅ  ｖｉｒｔｕａｌ  ｃｈａｎｎｅｌ．Ｅａｃｈ  ｌｅｔｔｅｒ  ｏｆ  ｔｈｅ  ｓｈｏｒｔ＿ｎａｍｅ  ｉｓ  ｆｏｒｍａｔｔｅｄ  ａｓ  ａ  １６―ｂｉｔ  Ｕｎｉｃｏｄｅ  ｃｈａｒａｃｔｅｒ，ｗｉｔｈ  ｔｈｅ  ｈｉｇｈ  ｏｒｄｅｒ  ｂｙｔｅ  ｔｒａｎｓｍｉｔｔｅｄ  ｆｉｒｓｔ．Ｓｏ，ｓｈｏｒｔ＿ｎａｍｅ  ｆｏｒ  ＴＶＣＴ  ａｎｄ  ＣＶＣＴ  ｅｎｔｒｉｅｓ  ｉｓ  ｓｅｖｅｎ  Ｕｎｉｃｏｄｅ  ｃｈａｒａｃｔｅｒｓ，ｗｈｉｃｈ  ｓｈｏｒｔ＿ｎａｍｅ  ｆｏｒ  ＳＶＣＴ  ｅｎｔｒｉｅｓ  ｉｓ  ｅｉｇｈｔ  Ｕｎｉｃｏｄｅ  ｃｈａｒａｃｔｅｒｓ．Ｉｆ  ｔｈｅ  ｄｉｓｐｌａｙ  ｎａｍｅ  ｉｓ  ｌｅｓｓ  ｔｈａｎ  ｔｈｅ  ｎｕｍｂｅｒ  ｏｆ  ｐｅｒｍｉｔｔｅｄ  ｃｈａｒａｃｔｅｒｓ，０／０ｘ００  ｉｓ  ａｐｐｅｎｄｅｄ  ｔｏ  ｔｈｅ  ｅｎｄ  ｕｎｔｉｌ  ｔｈｅ  ａｌｌｏｔｅｄ  ｎｕｍｂｅｒ  ｏｆ  ｂｉｔｓ  ｈａｓ  ｂｅｅｎ  ｒｅａｃｈｅｄ．）
【０１３６】
ｍａｊｏｒ＿ｃｈａｎｎｅｌ＿ｎｕｍｂｅｒフィールドは、仮想チャンネルと関連するメージャーチャンネルの数を示す。（Ａ  １０―ｂｉｔ  ｎｕｍｂｅｒ  ｔｈａｔ  ｒｅｐｒｅｓｅｎｔｓ  ｔｈｅ  “ｍａｊｏｒ”  ｃｈａｎｎｅｌ  ｎｕｍｂｅｒ  ａｓｓｏｃｉａｔｅｄ  ｗｉｔｈ  ｔｈｅ  ｖｉｒｔｕａｌ  ｃｈａｎｎｅｌ  ｂｅｉｎｇ  ｄｅｆｉｎｅｄ  ｉｎ  ｔｈｉｓ  ｉｔｅｒａｔｉｏｎ  ｏｆ  ｔｈｅ  “ｆｏｒ”  ｌｏｏｐ．Ｅａｃｈ  ｖｉｒｔｕａｌ  ｃｈａｎｎｅｌ  ｓｈａｌｌ  ｂｅ  ａｓｓｏｃｉａｔｅｄ  ｗｉｔｈ  ａ  ｍａｊｏｒ  ａｎｄ  ａ  ｍｉｎｏｒ  ｃｈａｎｎｅｌ  ｎｕｍｂｅｒ．Ｔｈｅ  ｍａｊｏｒ  ｃｈａｎｎｅｌ  ｎｕｍｂｅｒ，ａｌｏｎｇ  ｗｉｔｈ  ｔｈｅ  ｍｉｎｏｒ  ｃｈａｎｎｅｌ  ｎｕｍｂｅｒ，ａｃｔ  ａｓ  ｔｈｅ  ｕｓｅｒ’ｓ  ｒｅｆｅｒｅｎｃｅ  ｎｕｍｂｅｒ  ｆｏｒ  ｔｈｅ  ｖｉｒｔｕａｌ  ｃｈａｎｎｅｌ．Ｔｈｅ  ｍａｊｏｒ＿ｃｈａｎｎｅｌ＿ｎｕｍｂｅｒ  ｓｈａｌｌ  ｂｅ  ｂｅｔｗｅｅｎ  １  ａｎｄ  ９９．Ｔｈｅ  ｖａｌｕｅ  ｏｆ  ｍａｊｏｒ＿ｃｈａｎｎｅｌ＿ｎｕｍｂｅｒ  ｓｈａｌｌ  ｂｅ  ｓｅｔ  ｓｕｃｈ  ｔｈａｔ  ｉｎ  ｎｏ  ｃａｓｅ  ｉｓ  ａ  ｍａｊｏｒ＿ｃｈａｎｎｅｌ＿ｎｕｍｂｅｒ／ｍｉｎｏｒ＿ｃｈａｎｎｅｌ＿ｎｕｍｂｅｒ  ｐａｉｒ  ｄｕｐｌｉｃａｔｅｄ  ｗｉｔｈｉｎ  ｔｈｅ  ＴＶＣＴ．）
【０１３７】
ｍｉｎｏｒ＿ｃｈａｎｎｅｌ＿ｎｕｍｂｅｒフィールドは、仮想チャンネルと関連するマイナーチャンネルの数を示す。（Ａ  １０―ｂｉｔ  ｎｕｍｂｅｒ  ｉｎ  ｔｈｅ  ｒａｎｇｅ  ０  ｔｏ  ９９９  ｔｈａｔ  ｒｅｐｒｅｓｅｎｔｓ  ｔｈｅ  “ｍｉｎｏｒ”  ｏｒ  “ｓｕｂ”―ｃｈａｎｎｅｌ  ｎｕｍｂｅｒ．Ｔｈｉｓ  ｆｉｅｌｄ，ｔｏｇｅｔｈｅｒ  ｗｉｔｈ  ｍａｊｏｒ＿ｃｈａｎｎｅｌ＿ｎｕｍｂｅｒ，ｐｅｒｆｏｒｍｓ  ａｓ  ａ  ｔｗｏ―ｐａｒｔ  ｃｈａｎｎｅｌ  ｎｕｍｂｅｒ，ｗｈｅｒｅ  ｍｉｎｏｒ＿ｃｈａｎｎｅｌ＿ｎｕｍｂｅｒ  ｒｅｐｒｅｓｅｎｔｓ  ｔｈｅ  ｓｅｃｏｎｄ  ｏｒ  ｒｉｇｈｔ―ｈａｎｄ  ｐａｒｔ  ｏｆ  ｔｈｅ  ｎｕｍｂｅｒ．Ｗｈｅｎ  ｔｈｅ  ｓｅｒｖｉｃｅ＿ｔｙｐｅ  ｉｓ  ａｎａｌｏｇ  ｔｅｌｅｖｉｓｉｏｎ，ｍｉｎｏｒ＿ｃｈａｎｎｅｌ＿ｎｕｍｂｅｒ  ｓｈａｌｌ  ｂｅ  ｓｅｔ  ｔｏ  ０．）
【０１３８】
モジュレーションモード（ｍｏｄｕｌａｔｉｏｎ  ｍｏｄｅ）フィールドは、仮想チャンネルの伝送キャリアに対する変調方式を示す。（Ｔｈｅ  ｍｏｄｕｌａｔｉｏｎ＿ｍｏｄｅ  ｉｓ  ａｎ  ｅｉｇｈｔ―ｂｉｔ  ｆｉｅｌｄ  ｉｎ  ａ  ｖｉｒｔｕａｌ  ｃｈａｎｎｅｌ  ｅｎｔｒｙ  ｔｅｌｌｓ  ｒｅｃｅｉｖｅｒｓ  ｔｈｅ  ｍｏｄｕｌａｔｉｏｎ  ｕｓｅｄ  ｔｏ  ｔｒａｎｓｍｉｔ  ｉｎｄｉｖｉｄｕａｌ  ｃｈａｎｎｅｌｓ．）
【０１３９】
ｃａｒｒｉｅｒ＿ｆｒｅｑｕｅｎｃｙフィールドは、伝送仮想チャンネルによって使用されるキャリア周波数情報を伝送する。（Ｔｈｅ  ｃａｒｒｉｅｒ  ｆｒｅｑｕｅｎｃｙ  ｉｓ  ａ  ３２―ｂｉｔ  ｆｉｅｌｄ  ｔｈａｔ  ｔｒａｎｓｍｉｔｓ  ｔｈｅ  ｃａｒｒｉｅｒ  ｆｒｅｑｕｅｎｃｙ  ｕｓｅｄ  ｂｙ  ｔｈｅ  ｔｒａｎｓｐｏｒｔ  ｃａｒｒｙｉｎｇ  ｔｈｅ  ｖｉｒｔｕａｌ  ｃｈａｎｎｅｌ．）
【０１４０】
ｃｈａｎｎｅｌ＿ＴＳＩＤフィールドは、仮想チャンネルと関連するＭＰＥＧ―２プログラムを伝送する伝送ストリーム（Ｔｒａｎｓｐｏｒｔ  Ｓｔｒｅａｍ：ＴＳ）に対するＭＰＥＧ―２伝送ストリーム（Ｔｒａｎｓｐｏｒｔ  Ｓｔｒｅａｍ）  ＩＤを示す。（Ｔｈｅ  ｃｈａｎｎｅｌ＿ＴＳＩＤ  ｉｓ  ａ  １６―ｂｉｔ  ｕｎｓｉｇｎｅｄ  ｉｎｔｅｇｅｒ  ｆｉｅｌｄ  ｔｈａｔ  ｇｉｖｅｓ  ｔｈｅ  ｔｒａｎｓｐｏｒｔ＿ｓｔｒｅａｍ＿ｉｄ  ｏｆ  ｔｈｅ  ｃｈａｎｎｅｌ  ｔｈａｔ  ｃａｒｒｉｅｓ（ｏｒ  ｆｏｒ  ｉｎａｃｔｉｖｅ  ｃｈａｎｎｅｌｓ，ｗｉｌｌ  ｃａｒｒｙ）  ｔｈｅ  ｖｉｒｔｕａｌ  ｃｈａｎｎｅｌ．）
【０１４１】
ｐｒｏｇｒａｍ＿ｎｕｍｂｅｒフィールドは、ＴＳ内の各プログラムサービスまたは仮想チャンネルを識別する。（Ｔｈｅ  ｐｒｏｇｒａｍ＿ｎｕｍｂｅｒ  ｉｓ  ａ  １６―ｂｉｔ  ｕｎｓｉｇｎｅｄ  ｉｎｔｅｇｅｒ  ｔｈａｔ  ｕｎｉｑｕｅｌｙ  ｉｄｅｎｔｉｆｉｅｓ  ｅａｃｈ  ｐｒｏｇｒａｍ  ｓｅｒｖｉｃｅ（ｏｒ  ｖｉｒｔｕａｌ  ｃｈａｎｎｅｌ）  ｐｒｅｓｅｎｔ  ｉｎ  ａ  ｔｒａｎｓｐｏｒｔ  ｓｔｒｅａｍ．）
【０１４２】
ＥＴＭ＿ｌｏｃａｔｉｏｎフィールドは、チャンネル、イベントまたはデータイベントのための拡張されたテキストメッセージの存在有無を示す。（Ｔｈｅ  ＥＴＭ＿ｌｏｃａｔｉｏｎ  ｆｉｅｌｄ  ｄｅｎｏｔｅｓ  ｗｈｅｔｈｅｒ  ｔｈｅｒｅ  ｉｓ  ａｎ  ｅｘｔｅｎｄｅｄ  ｔｅｘｔ  ｍｅｓｓａｇｅ  ｆｏｒ  ｔｈｅ  ｃｈａｎｎｅｌ（Ｃｈａｎｎｅｌ  Ｅｘｔｅｎｄｅｄ  Ｔｅｘｔ  ｔａｂｌｅ  ｏｒ  ＣＥＴＴ），ｅｖｅｎｔ（Ｅｖｅｎｔ  Ｅｘｔｅｎｄｅｄ  Ｔｅｘｔ  ｔａｂｌｅ）  ｏｒ  ｄａｔａ  ｅｖｅｎｔ（Ｄａｔａ  Ｅｘｔｅｎｄｅｄ  Ｔｅｘｔ  ｔａｂｌｅ）．）
【０１４３】
ａｃｃｅｓｓ＿ｃｏｎｔｒｏｌｌｅｄフィールドは、該当の仮想チャンネルと連関したイベントが制御されるか否かを示す。（Ｗｈｅｎ  ａｃｃｅｓｓ＿ｃｏｎｔｒｏｌｌｅｄ  ｉｓ  ｓｅｔ  ｔｏ  ‘１’，ｍｅａｎｓ  ｔｈａｔ  ｅｖｅｎｔｓ  ａｓｓｏｃｉａｔｅｄ  ｗｉｔｈ  ｔｈｉｓ  ｖｉｒｔｕａｌ  ｃｈａｎｎｅｌ  ｍａｙ  ｂｅ  ａｃｃｅｓｓ  ｃｏｎｔｒｏｌｌｅｄ．Ｗｈｅｎ  ｓｅｔ  ｔｏ  ‘０’，ａｃｃｅｓｓ  ｔｏ  ｅｖｅｎｔ  ｉｓ  ｎｏｔ  ｃｏｎｔｒｏｌｌｅｄ．）
【０１４４】
非表示（ｈｉｄｄｅｎ）フィールドは、該当のチャンネルが仮想チャンネル数字の直接入力（ｄｉｒｅｃｔ  ｅｎｔｒｙ）（またはフィールド、属性、個体）によって接近できるか否かを意味する。（Ｗｈｅｎ  ｈｉｄｄｅｎ  ｉｓ  ｓｅｔ  ｔｏ  ‘１’，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  ‘０’，ｖｉｒｔｕａｌ  ｃａｎ  ｂｅ  ａｃｃｅｓｓｅｄ  ｂｙ  ｄｉｒｅｃｔ  ｅｎｔｒｙ．）
【０１４５】
ｈｉｄｅ＿ｇｕｉｄｅフィールドは、該当のチャンネルが仮想チャンネル数字の直接入力（ｄｉｒｅｃｔ  ｅｎｔｒｙ）（またはフィールド、属性、個体）によって接近できるか否かを意味する。（Ｗｈｅｎ  ｈｉｄｅ＿ｇｕｉｄｅ  ｉｓ  ｓｅｔ  ｔｏ  ‘１’，ｍｅａｎｓ  ｔｈｅ  ｃｈａｎｎｅｌ  ｃａｎｎｏｔ  ｂｅ  ａｃｃｅｓｓｅｄ  ｂｙ  ｄｉｒｅｃｔ  ｅｎｔｒｙ  ｏｆ  ｔｈｅ  ｖｉｒｔｕａｌ  ｃｈａｎｎｅｌ  ｎｕｍｂｅｒ．Ｗｈｅｎ  ｓｅｔ  ｔｏ  ‘０’，ｖｉｒｔｕａｌ  ｃａｎ  ｂｅ  ａｃｃｅｓｓｅｄ  ｂｙ  ｄｉｒｅｃｔ  ｅｎｔｒｙ．）
【０１４６】
ｓｅｒｖｉｃｅ＿ｔｙｐｅフィールドは、仮想チャンネルでセッティングされたサービスタイプを識別する。（Ｔｈｅ  ｓｅｒｖｉｃｅ＿ｔｙｐｅ  ｉｓ  ａ  ６―ｂｉｔ  ｅｎｕｍｅｒａｔｅｄ  ｆｉｅｌｄ  ｔｈａｔ  ｉｄｅｎｔｉｆｉｅｓ  ｔｈｅ  ｔｙｐｅ  ｏｆ  ｓｅｒｖｉｃｅ  ｓｅｔ  ｉｎ  ｔｈｅ  ｖｉｒｔｕａｌ  ｃｈａｎｎｅｌ．）ＵＨＤサービスのための一実施例として、サービスタイプ（ｓｅｒｖｉｃｅ  ｔｙｐｅ）は、パラメーター化サービス（ｐａｒａｍｅｔｅｒｉｚｅｄ  ｓｅｒｖｉｃｅ）（０ｘ０７）、拡張されたパラメーター化サービス（ｅｘｔｅｎｄｅｄ  ｐａｒａｍｅｔｅｒｉｚｅｄ  ｓｅｒｖｉｃｅ）（０ｘ０９）または新たなＤＴＶサービス（ｎｅｗ  ＤＴＶ  ｓｅｒｖｉｃｅ）（０ｘ１０）に指定することができる。上述したサービス名称及び値（ｖａｌｕｅ）は、一実施例であって、他の名称または値に設定することもできる。
【０１４７】
ｓｏｕｒｃｅ＿ｉｄフィールドは、１６ビットの符号が定められていない定数であって、仮想チャンネルと連関したプログラミングソースを示す。（Ａ  １６―ｂｉｔ  ｕｎｓｉｇｎｅｄ  ｉｎｔｅｇｅｒ  ｎｕｍｂｅｒ  ｔｈａｔ  ｉｄｅｎｔｉｆｉｅｓ  ｔｈｅ  ｐｒｏｇｒａｍｍｉｎｇ  ｓｏｕｒｃｅ  ａｓｓｏｃｉａｔｅｄ  ｗｉｔｈ  ｔｈｅ  ｖｉｒｔｕａｌ  ｃｈａｎｎｅｌ．Ｉｎ  ｔｈｉｓ  ｃｏｎｔｅｘｔ，ａ  ｓｏｕｒｃｅ  ｉｓ  ｏｎｅ  ｓｐｅｃｉｆｉｃ  ｓｏｕｒｃｅ  ｏｆ  ｖｉｄｅｏ，ｔｅｘｔ，ｄａｔａ，ｏｒ  ａｕｄｉｏ  ｐｒｏｇｒａｍｍｉｎｇ．Ｓｏｕｒｃｅ  ＩＤ  ｖａｌｕｅ  ｚｅｒｏ  ｉｓ  ｒｅｓｅｒｖｅｄ．Ｓｏｕｒｃｅ  ＩＤ  ｖａｌｕｅｓ  ｉｎ  ｔｈｅ  ｒａｎｇｅ  ０ｘ０００１  ｔｏ  ０ｘ０ＦＦＦ  ｓｈａｌｌ  ｂｅ  ｕｎｉｑｕｅ  ｗｉｔｈｉｎ  ｔｈｅ  Ｔｒａｎｓｐｏｒｔ  Ｓｔｒｅａｍ  ｔｈａｔ  ｃａｒｒｉｓ  ｔｈｅ  ＶＣＴ，ｗｈｉｌｅ  ｖａｌｕｅｓ  ０ｘ１０００  ｔｏ  ０ｘＦＦＦＦ  ｓｈａｌｌ  ｂｅ  ｕｎｉｑｕｅ  ａｔ  ｔｈｅ  ｒｅｇｉｏｎａｌ  ｌｅｖｅｌ．Ｖａｌｕｅｓ  ｆｏｒ  ｓｏｕｒｃｅ＿ｉｄｓ  ０ｘ１０００  ａｎｄ  ａｂｏｖｅ  ｓｈａｌｌ  ｂｅ  ｉｓｓｕｅｄ  ａｎｄ  ａｄｍｉｎｉｓｔｅｒｅｄ  ｂｙ  ａ  Ｒｅｇｉｓｔｒａｔｉｏｎ  Ａｕｔｈｏｒｉｔｙ  ｄｅｓｉｇｎａｔｅｄ  ｂｙ  ｔｈｅ  ＡＴＳＣ．）
【０１４８】
ｄｅｓｃｒｉｐｔｏｒｓ＿ｌｅｎｇｔｈフィールドは、次のディスクリプタフィールドのバイトの長さを伝送する。（Ｔｈｅ  ｄｅｓｃｒｉｐｔｏｒｓ＿ｌｅｎｇｔｈ  ｉｓ  ａ  １０―ｂｉｔ  ｕｎｓｉｇｎｅｄ  ｉｎｔｅｇｅｒ  ｆｉｅｌｄ  ｔｈａｔ  ｓｉｇｎａｌｓ  ｔｈｅ  ｌｅｎｇｔｈ  ｉｎ  ｂｙｔｅｓ  ｏｆ  ｔｈｅ  ｄｅｓｃｒｉｐｔｏｒ  ｆｉｅｌｄ  ｔｏ  ｆｏｌｌｏｗ．Ｉｆ  ｔｈｅｒｅ  ａｒｅ  ｎｏ  ｄｅｓｃｒｉｐｔｏｒｓ  ｐｒｅｓｅｎｔ，ｚｅｒｏ  ｗｏｕｌｄ  ｂｅ  ａｐｐｒｏｐｒｉａｔｅ．）
【０１４９】
ｄｅｓｃｒｉｐｔｏｒ（）フィールドは、テーブル内に位置するディスクリプタループ（ｄｅｓｃｒｉｐｔｏｒ  ｌｏｏｐ）である。ディスクリプタループ（ｄｅｓｃｒｉｐｔｏｒ  ｌｏｏｐ）は追加的なディスクリプタを含むことができる。
【０１５０】
図１３は、本発明の一実施例に係る超高画質放送サービスであることを識別できるディスクリプタを示した図である。
【０１５１】
本発明の一実施例に係るＴＶＣＴで超高画質級（ＵＨＤ級）ビデオがサービスされるか否かは、後述する方法によってシグナリングすることができる。
【０１５２】
ｓｅｒｖｉｃｅ＿ｔｙｐｅが０ｘ０７である場合、ビデオサービスを記述することができ、コンポーネントリストディスクリプタ（ｃｏｍｐｏｎｅｎｔ  ｌｉｓｔ  ｄｅｓｃｒｉｐｔｏｒ）を通じて伝送されるｓｔｒｅａｍ＿ｉｎｆｏ＿ｄｅｔａｉｌｓ（）に含まれた情報を通じて該当のストリームが受信装置でデコーディング及び再生可能であるか否かを判断することができる。また、ＵＨＤディスクリプタ及び／またはサービスローケーションディスクリプタ（ｓｅｒｖｉｃｅ  ｌｏｃａｔｉｏｎ  ｄｅｓｃｒｉｐｔｏｒ）を通じて超高画質サービスに対する情報を提供することができる。
【０１５３】
ｓｅｒｖｉｃｅ＿ｔｙｐｅが０ｘ０９である場合、パラメーター化サービスディスクリプタ（ｐａｒａｍｅｔｅｒｉｚｅｄ  ｓｅｒｖｉｃｅ  ｄｅｓｃｒｉｐｔｏｒ）をさらに用いることができ、これを用いて超高画質サービスに対する具体的な情報を提供することができる。また、コンポーネントリストディスクリプタ（ｃｏｍｐｏｎｅｎｔ  ｌｉｓｔ  ｄｅｓｃｒｉｐｔｏｒ）及び／またはサービスローケーションディスクリプタ（ｓｅｒｖｉｃｅ  ｌｏｃａｔｉｏｎ  ｄｅｓｃｒｉｐｔｏｒ）を通じて超高画質サービスに対する情報を提供することができる。
【０１５４】
ｓｅｒｖｉｃｅ＿ｔｙｐｅが０ｘ１０である場合、ＵＨＤディスクリプタ及び／またはサービスローケーションディスクリプタ（ｓｅｒｖｉｃｅ  ｌｏｃａｔｉｏｎ  ｄｅｓｃｒｉｐｔｏｒ）を通じて超高画質サービスに対する情報を提供することができる。
【０１５５】
図１４は、本発明の一実施例に係る超高画質放送信号送信方法を示した図である。
【０１５６】
本発明の一実施例によると、超高画質放送信号は、次のような過程を経て送信することができる。まず、送信側は、超高画質ビデオデータ及びディスプレイ情報メタデータをエンコードする（Ｓ１４０１０）。ここで、超高画質ビデオデータは、超高画質放送コンテンツに含ませることができ、ディスプレイ情報メタデータは、超高画質放送コンテンツに適したディスプレイ環境情報を示す。ディスプレイ情報メタデータに対しては、図３の説明部分で詳細に説明した。
【０１５７】
次の過程で、送信側は、エンコードされた超高画質ビデオデータ及びディスプレイ情報メタデータを多重化する（Ｓ１４０２０）。ここで、ディスプレイ情報メタデータは、超高画質ビデオデータと共に多重化されない場合もある。
【０１５８】
次の過程で、送信側は、多重化された超高画質ビデオデータ及びディスプレイ情報メタデータを伝送する（Ｓ１４０３０）。ここで、多重化された超高画質ビデオデータ及び／またはディスプレイ情報メタデータは、地上波放送網、ケーブル網及びインターネットプロトコル網のうち少なくともいずれか一つを介して伝送することができる。
【０１５９】
本発明のさらに他の一実施例によると、ディスプレイ情報メタデータは、超高画質放送コンテンツをディスプレイするために要求される最小基準明るさを示す最小基準明るさ情報、超高画質放送コンテンツをディスプレイするために要求される最大基準明るさを示す最大基準明るさ情報及び／または放送信号受信側のディスプレイに示される明るさを計算するＥＯＴＦ（Ｅｌｅｃｔｒｏ  Ｏｐｔｉｃａｌ  Ｔｒａｎｓｆｅｒ  Ｆｕｎｃｔｉｏｎ）関数に使用されるガンマ指数を示すＥＯＴＦガンマ指数情報のうち少なくともいずれか一つを含むことができる。上述した最小基準明るさ情報、最大基準明るさ情報及びＥＯＴＦガンマ指数情報に対しては、図３の説明部分で詳細に説明した。
【０１６０】
本発明のさらに他の一実施例によると、ディスプレイ情報メタデータは、既に設定された色温度による無彩色の色空間上の位置関連情報を示す基準無彩色の色空間情報、任意の色温度指定の有無を示す色温度指定フラグ情報、及び／または任意の色温度を指定する場合、任意の色温度による無彩色の色空間上の位置関連情報を示す任意の無彩色の色空間情報のうち少なくともいずれか一つを含むことができる。上述した基準無彩色の色空間情報、色温度指定フラグ情報及び任意の無彩色の色空間情報に対しては、図３の説明部分で詳細に説明した。
【０１６１】
本発明のさらに他の一実施例によると、ディスプレイ情報メタデータは、任意のガマット指定の有無を示すガマット指定フラグ情報、コンテンツの色感を表現できる標準色空間を示す基準ガマット情報、標準色空間でない任意の色空間を指定する場合、任意の色空間でレッド、グリーン及びブルー色相の座標を示す任意のガマット色空間座標情報、標準色空間を基準にして任意の色空間への変換がなされる場合、変換のために使用される係数の個数を示す係数ナンバー情報、及び前記任意の色空間への変換のために使用される係数を示すガマットマッピング係数情報のうち少なくともいずれか一つを含むことができる。上述したガマット指定フラグ情報、基準ガマット情報、任意のガマット色空間座標情報、係数ナンバー情報及びガマットマッピング係数情報に対しては、図３の説明部分で詳細に説明した。
【０１６２】
本発明のさらに他の一実施例によると、ディスプレイ情報メタデータは、ＳＥＩメッセージに含ませて伝送することができ、超高画質放送コンテンツを構成する各イベントに対する情報を含むイベント情報テーブル（Ｅｖｅｎｔ  Ｉｎｆｏｒｍａｔｉｏｎ  Ｔａｂｌｅ；ＥＩＴ）内に含ませて伝送することができる。これに対しては、図２、図３及び図７の説明部分で詳細に説明した。
【０１６３】
本発明のさらに他の一実施例によると、ディスプレイ情報メタデータは、イベント情報テーブル（Ｅｖｅｎｔ  Ｉｎｆｏｒｍａｔｉｏｎ  Ｔａｂｌｅ；ＥＩＴ）内に各イベントに適用される情報を記述するイベントレベルディスクリプタに含ませて伝送することができる。これに対しては、図７〜図９の説明部分で詳細に説明した。
【０１６４】
本発明のさらに他の一実施例によると、イベント情報テーブル（Ｅｖｅｎｔ  Ｉｎｆｏｒｍａｔｉｏｎ  Ｔａｂｌｅ；ＥＩＴ）は、ディスプレイ情報メタデータが含まれている超高画質放送サービスを識別する超高画質プログラム情報ディスクリプタをさらに含むことができる。これに対しては、図７、図１０〜図１３の説明部分で詳細に説明した。
【０１６５】
説明の便宜上、各図面を分けて説明したが、各図面に敍述されている各実施例を併合して新たな実施例を具現するように設計することも可能である。そして、当業者の必要に応じて、以前に説明した各実施例を実行するためのプログラムが記録されているコンピューターで判読可能な記録媒体を設計することも本発明の権利範囲に属する。
【０１６６】
本発明に係る装置及び方法は、上述した各実施例の構成と方法が限定的に適用されるものではなく、上述した各実施例は、多様な変形がなされるように各実施例の全部または一部が選択的に組み合わされて構成されることも可能である。
【０１６７】
一方、本発明の映像処理方法は、ネットワークデバイスに備えられたプロセッサが読み取り可能な記録媒体にプロセッサが読み取り可能なコードで具現することが可能である。プロセッサが読み取り可能な記録媒体は、プロセッサによって読まれるデータが格納される全ての種類の記録装置を含む。プロセッサが読み取り可能な記録媒体の例としては、ＲＯＭ、ＲＡＭ、ＣＤ―ＲＯＭ、磁気テープ、フロッピーディスク、光データ格納装置などがあり、また、インターネットを介した伝送などのキャリアウェーブの形態に具現されることも含む。また、プロセッサが読み取り可能な記録媒体は、ネットワークで連結されたコンピューターシステムに分散され、分散方式でプロセッサが読み取り可能なコードが格納されて実行され得る。
【０１６８】
また、以上では、本発明の好ましい実施例に対して図示して説明したが、本発明は、上述した特定の実施例に限定されるものではなく、特許請求の範囲で請求する本発明の要旨から逸脱しない範囲で、当該発明の属する技術分野で通常の知識を有する者によって多様な変形実施が可能であることは当然であり、このような変形実施は、本発明の技術的思想や展望から個別的に理解してはならない。
【０１６９】
そして、当該明細書では、装置発明と方法発明を全て説明しており、必要に応じて両発明の説明は補充的に適用することができる。
【０１７０】
〔発明を実施するための形態〕
発明の実施のための形態は、上述したように、発明の実施のための最善の形態で説明した。
【産業上の利用可能性】
【０１７１】
本発明は、放送産業全般にわたって利用可能である。
【図１】
2016530780.tif 000008
【図２】
2016530780.tif 000009
【図３】
2016530780.tif 000010
【図４】
2016530780.tif 000011
【図５】
2016530780.tif 000012
【図６】
2016530780.tif 000013
【図７】
2016530780.tif 000014
【図８】
2016530780.tif 000015
【図９】
2016530780.tif 000016
【図１０】
2016530780.tif 000017
【図１１】
2016530780.tif 000018
【図１２】
2016530780.tif 000019
【図１３】
2016530780.tif 000020
【図１４】
2016530780.tif 000021
【国際調査報告】
2016530780.tif 000022
2016530780.tif 000023
2016530780.tif 000024
2016530780.tif 000025
2016530780.tif 000026
2016530780.tif 000027